(57)【要約】【課題】ディスク状記録媒体のレーベル面に印刷するレーベル印刷機能を有するディスク装置において、インクミストの飛散によるディスクドライブ内の汚染を防止する。【解決手段】本発明によれば、ディスク状記録媒体２が載置される載置面１３を有するディスク載置部１２と、ディスク載置部１２に載置されたディスク状記録媒体２のレーベル面２ａに向けてインクを吐出する印刷ヘッド３１と、所定の電圧が印加されることにより、印刷ヘッド３１から吐出されたインクを誘引するミスト誘引部１０１と、を備えるディスク装置１が提供される。【選択図】図１６
2009134847.tif 000002
【特許請求の範囲】
【請求項１】
ディスク状記録媒体が載置される載置面を有するディスク載置部と、
前記ディスク載置部に載置された前記ディスク状記録媒体の記録面と反対側のレーベル面に向けてインクを吐出する印刷ヘッドと、
所定の電圧が印加されることにより、前記印刷ヘッドから吐出されたインクのミストを誘引するミスト誘引部と、
を備えることを特徴とする、ディスク装置。
【請求項２】
前記ミスト誘引部は、所定の電圧が印加される電極を有することを特徴とする、請求項１に記載のディスク装置。
【請求項３】
前記電極は、前記印刷ヘッドから吐出されたインクのミストを誘引して前記電極の表面に付着させることにより、当該ミストを捕集することを特徴とする、請求項２に記載のディスク装置。
【請求項４】
前記電極は、前記印刷ヘッドのインク吐出部に対して、前記ディスク状記録媒体の回転方向の下流側に配置されることを特徴とする、請求項３に記載のディスク装置。
【請求項５】
前記ディスク載置部は、接地電位とされることを特徴とする、請求項４に記載のディスク装置。
【請求項６】
前記ディスク載置部に載置された前記ディスク状記録媒体の記録面に対して、情報の記録及び／又は再生を行うピックアップ装置をさらに備え、
前記ピックアップ装置は、光源から出射されたレーザ光を集光して前記ディスク状記録媒体の記録面に照射する対物レンズと、前記対物レンズのフォーカシング制御及びトラッキング制御を行なうアクチュエータと、前記アクチュエータを覆うカバーと、を有し、
前記カバーは、接地電位とされることを特徴とする、請求項５に記載のディスク装置。
【請求項７】
前記ディスク載置部に載置された前記ディスク状記録媒体の記録面に対して、情報の記録及び／又は再生を行うピックアップ装置をさらに備え、
前記ピックアップ装置は、光源から出射されたレーザ光を集光して前記ディスク状記録媒体の記録面に照射する対物レンズと、前記対物レンズのフォーカシング制御及びトラッキング制御を行なうアクチュエータと、前記アクチュエータを覆うカバーと、を有し、
前記カバーは、前記電極と同じ極性の電位とされることを特徴とする、請求項５に記載のディスク装置。
【請求項８】
前記ディスク載置部に載置された前記ディスク状記録媒体の記録面に対して、情報の記録及び／又は再生を行うピックアップ装置をさらに備え、
前記ピックアップ装置は、光源から出射されたレーザ光を集光して前記ディスク状記録媒体の記録面に照射する対物レンズと、前記対物レンズのフォーカシング制御及びトラッキング制御を行なうアクチュエータと、前記アクチュエータを覆うカバーと、を有し、
前記カバーは、前記電極と逆極性の電位とされることを特徴とする、請求項５に記載のディスク装置。
【請求項９】
前記電極と前記ディスク載置部との間の領域に形成される電界の強度が２００ｋＶ／ｍ以上となるように、前記電極に電圧が印加されることを特徴とする、請求項５に記載のディスク装置。
【請求項１０】
前記電極は、前記インク吐出部よりも上方に配置されることを特徴とする、請求項４に記載のディスク装置。
【請求項１１】
前記電極は、前記ディスク状記録媒体を介して、前記印刷ヘッドのインク吐出部と対向する位置に配置されることを特徴とする、請求項２に記載のディスク装置。
【請求項１２】
前記インク吐出部は、接地電位とされることを特徴とする、請求項１１に記載のディスク装置。
【発明の詳細な説明】
【技術分野】
【０００１】
本発明は、ディスク状記録媒体のレーベル面に印刷するレーベル印刷機能を有するディスク装置に関する。
【背景技術】
【０００２】
近年、高密度記録を可能としたＢＤ（Ｂｌｕ−Ｒａｙ  Ｄｉｓｋ）や、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｋ）などの記録媒体を使用した光ディスク装置等のディスク装置が増加してきている。このような状況から、多大な情報が記録された記録媒体を管理するために、光ディスク等のディスク状記録媒体の記録面とは反対側のレーベル面に、当該記録媒体に記録されている情報に対応する文字や画像等を印刷（以下、「レーベル印刷」という。）することが行われるようになってきている。
【０００３】
このレーベル印刷をディスク装置内で実現するための装置として、例えば、光ディスクドライブにインクジェットヘッドを搭載して、回転する光ディスクにレーベル印刷を行う光ディスク装置が提案されている（例えば、特許文献１を参照）。
【０００４】
従来、光ディスクに限らず、紙などへの印刷媒体へのインクジェット方式の印刷装置では、印刷ヘッドからインク滴が吐出されると、印刷ヘッドと印刷対象物との空間に、印刷対象面に到達することなく浮遊するミスト（液滴）が発生していた。このミストは、印刷ヘッドから吐出されると、空気抵抗により失速し、周辺気流に乗り浮遊する。そのため、この浮遊したミストが周囲に飛散することにより、印刷対象面以外に付着して装置の内部を汚染する、という問題があった。
【０００５】
このようなインクジェット方式の印刷装置での問題に対する対策の一つとして、例えば、特許文献２に開示されているようなものがある。特許文献２には、インクジェット記録装置において、記録ヘッドより噴射したインク液滴または一部を、静電気力により制御または回収して記録を行う記録装置に関するものが記載されている。この特許文献２に記載されたインクジェット記録装置（第１の従来例という。）は、インクジェット記録ヘッドと、第１の電極と、第２の電極と、電圧制御手段と、を含んでいる。ここで、インクジェット記録ヘッドは、インク液滴を噴射する噴射口と該噴射口内のインクを噴射させるエネルギー発生手段とを有する。第１の電極は、前記噴射口内にインクと電気的に導通して設けられている。第２の電極は、前記噴射口から所定の距離だけ離間して該噴射口と対向して設けられている。電圧制御手段は、前記第１と第２の電極間に対し、インクが該噴射口から噴射し始めてから噴射中に２個以上のインク液滴に分離するまでの時間中に、第１の電圧を印加し、直後に、該第１の電圧と同極性でかつ該第１の電圧より絶対値の小さい第２の電圧を印加する。
【０００６】
また、このような問題に対する対策の他の例としては、例えば、特許文献３に記載されているようなものもある。特許文献３には、記録媒体上にインク等の記録液滴を吐出して画像を記録するインクジェット記録装置に関するものが記載されている。この特許文献３に記載されたインクジェット記録装置（第２の従来例という。）は、記録媒体に記録液滴を吐出して画像を記録する装置であって、記録領域へ空気を吹き出す手段と、前記吹き出し手段とは前記記録領域を介して反対側に配設されて空気を吸引する空気吸引手段とを備えている。
【０００７】
【特許文献１】特開平５−２３８００５号公報
【特許文献２】特開平５−１２４１８７号公報
【特許文献３】特開２００２−３０７７２５号公報
【発明の開示】
【発明が解決しようとする課題】
【０００８】
しかしながら、前述した第１の従来例及び第２の従来例の場合は、主走査として印刷ヘッドを並進移動させ、副走査として被印刷対象物を移動させて、主走査と副走査を直交させる印刷方式（いわゆる、ＸＹ印刷方式）を採用している。この印刷方式においては、印刷ヘッドを非印刷対象物の幅に相当する距離を移動させる必要があるため、印刷ヘッドの移動範囲全体にミスト吸着機構を設ける必要があった。
【０００９】
また、主走査における印刷ヘッドの移動は、往復運動であるため、印刷ヘッドの往復運動中におけるミストの飛散状態は、印刷ヘッドの往路時と復路時で異なる状態となっていた。そのため、前述した第１の従来例及び第２の従来例の場合では、ミスト吸着機構が有効に機能しないおそれがあった。その結果、印刷時に発生するインク滴のミストを確実に吸着することができず、このミストによって周辺部分が汚染される、という問題があった。そのため、このような印刷装置を光ディスク装置に搭載すると、例えば、光ピックアップの可動部や光学系にミストが付着して汚染され、情報信号の読み出しや書き込みが困難になり、記録・再生性能の劣化につながることになる場合もあった。
【００１０】
そこで、本発明は、このような問題に鑑みてなされたもので、ディスク状記録媒体のレーベル面に印刷するレーベル印刷機能を有するディスク装置において、印刷時に発生するインク滴のミストを確実に吸着して、ミストの飛散によるディスクドライブ内の汚染を防止することを目的とする。
【課題を解決するための手段】
【００１１】
上記課題を解決するために、本発明のある観点によれば、ディスク状記録媒体が載置される載置面を有するディスク載置部と、前記ディスク載置部に載置された前記ディスク状記録媒体の記録面と反対側のレーベル面に向けてインクを吐出する印刷ヘッドと、所定の電圧が印加されることにより、前記印刷ヘッドから吐出されたインクのミストを誘引するミスト誘引部と、を備えるディスク装置が提供される。
【００１２】
前記ディスク装置において、前記ミスト誘引部は、所定の電圧が印加される電極を有していてもよい。
【００１３】
この場合、前記電極は、前記印刷ヘッドから吐出されたインクのミストを誘引して前記電極の表面に付着させることにより、当該ミストを捕集することができる
【００１４】
また、前記電極は、前記印刷ヘッドのインク吐出部に対して、前記ディスク状記録媒体の回転方向の下流側に配置されることが好ましい。
【００１５】
また、前記ディスク載置部を、接地電位としてもよい。
【００１６】
また、前記ディスク装置は、前記ディスク載置部に載置された前記ディスク状記録媒体の記録面に対して、情報の記録及び／又は再生を行うピックアップ装置をさらに備え、前記ピックアップ装置は、光源から出射されたレーザ光を集光して前記ディスク状記録媒体の記録面に照射する対物レンズと、前記対物レンズのフォーカシング制御及びトラッキング制御を行なうアクチュエータと、前記アクチュエータを覆うカバーと、を有していてもよい。このとき、前記カバーを、接地電位としてもよく、前記電極と同じ極性の電位としてもよく、前記電極と逆極性の電位としてもよい。
【００１７】
また、前記電極と前記ディスク載置部との間の領域に形成される電界の強度が２００ｋＶ／ｍ以上となるように、前記電極に電圧が印加されてもよい。
【００１８】
また、前記電極は、前記インク吐出部よりも上方に配置されてもよい。
【００１９】
また、前記電極は、前記ディスク状記録媒体を介して、前記印刷ヘッドのインク吐出部と対向する位置に配置されてもよい。
【００２０】
この場合、前記インク吐出部を、接地電位としてもよい。
【００２１】
以上のような構成を有する本発明に係るディスク装置によれば、所定の電圧が印加されることにより印刷ヘッドから吐出されたインクを誘引するミスト誘引部を設けることにより、ディスクドライブ内を浮遊するインクミストを誘引して所望の位置にインクを付着させることができる。従って、本発明によれば、インクミストの飛散によるディスクドライブ内の汚染を防止することができる。
【発明の効果】
【００２２】
本発明によれば、ディスク状記録媒体のレーベル面に印刷するレーベル印刷機能を有するディスク装置において、所定の電圧が印加されることにより印刷ヘッドから吐出されたインク滴のミストを誘引するミスト誘引部を設けることにより、インクミストの飛散によるディスクドライブ内の汚染を防止することが可能となる。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
（本発明の第１の実施形態に係るディスク装置の構成）
図１〜図１０を参照しながら、本発明の第1の実施形態に係るディスク装置の一例として、光ディスク装置1を例に挙げ、この光ディスク装置１の構成について説明する。
【００２５】
本実施形態に係る光ディスク装置１は、印刷対象物であるディスク状記録媒体の一例としての光ディスク２、例えば、ＣＤ（Ｃｏｍｐａｃｔ  Ｄｉｓｃ  登録商標）、ＣＤ−Ｒ（Ｒｅｃｏｒｄａｂｌｅ）、ＤＶＤ（Ｄｉｇｉｔａｌ  Ｖｅｒｓａｔｉｌｅ  Ｄｉｓｃ  登録商標）、ＤＶＤ−ＲＷ（Ｒｅｗｒｉｔａｂｌｅ）、ＢＤ（Ｂｌｕ−ｒａｙ  Ｄｉｓｃ  登録商標）、ＨＤ−ＤＶＤ（Ｈｉｇｈ  Ｄｅｆｉｎｉｔｉｏｎ−ＤＶＤ）等の光ディスク、あるいは、光磁気ディスク、磁気ディスク等の情報記録面（以下、単に「記録面」という場合がある。）に対して、新たに情報信号を記録（書込み）したり、予め記録されている情報信号を再生（読出し）したりすることが可能である。また、光ディスク装置１は、印刷面の一例としての光ディスク２のレーベル面に、文字、記号、写真、絵、模様等の可視情報を印刷できるようにしたトレイ方式の印刷機能付きの記録再生装置である。
【００２６】
ただし、本発明に係るディスク装置としては、情報の記録と再生の両方が可能な光ディスク装置に限定されるものではなく、情報信号の記録のみが可能なディスク記録装置や、情報信号の再生のみが可能なディスク再生装置に適用できることは勿論である。また、本発明に係るディスク状記録媒体としては、レーザ光を用いて情報信号の記録や再生を行う光ディスクに限定されるものではない。すなわち、本発明に係るディスク記録装置は、ニア・フィールド光を用いる光ディスク、光と磁気を用いる光磁気ディスク、磁気のみを用いる磁気ディスク等のように、外形がディスク状である各種のディスク状記録媒体を記録メディアとして用いることができる。
【００２７】
まず、図１〜図３を参照しながら、光ディスク装置1の構成の概略について説明する。図１は、本実施形態に係る光ディスク装置１の外観構成を示す斜視図である。図２は、光ディスク装置１の内部構成を示す斜視図であり、図３は、光ディスク装置１の内部構成を示す平面図である。
【００２８】
図１〜図３に示すように、光ディスク装置１は、中空の容器からなる筐体３と、この筐体３内に収納された装置本体８と、図示しないリモートコントローラ等の入力装置等を備えている。この光ディスク装置１には、図示しない画像表示装置や音声出力装置等の外部装置が電気的に接続可能とされており、光ディスク２の情報記録部から読み出した情報を画像や音声等で表示できるようになっている。画像表示装置としては、例えば、液晶ディスプレイ装置、有機ＥＬディスプレイ装置、プラズマディスプレイ装置等をあげることができる。また、音声出力装置としては、例えば、スピーカ装置等をあげることができる。
【００２９】
光ディスク装置１の筐体３は、長方形をなすベース板４と、このベース板４の上面を覆う上面板５と、前面を覆う前面板６と、背面を覆う背面板７を備えており、全体として中空の容器が構成されている。筐体３のベース板４の幅方向の両側には、それぞれ側面部４ａ，４ａが設けられている。各側面部４ａは、ベース板４の長手方向に所定の高さで延設されている。上面板５は、長方形をなす上面部５ａと、この上面部５ａの幅方向の両側に連続して形成されていて側面を覆う左右の側面部５ｂ，５ｂを有している。この上面板５は、ベース板４の上部に装着され、両側面部５ｂ，５ｂを図示しない固定ネジで各側面部４ａ，４ａに固定することによって取り付けられている。この上面板５とベース板４とで構成される筒状の前側開口部が前面板６によって閉じられ、後側開口部が背面板７によって閉じられている。そして、前面板６と背面板７は、図示しない固定ネジによってベース板４と上面板５にネジ止めされている。
【００３０】
前面板６の高さ方向の略中央部には、横方向に延設されたディスク出入口１１が設けられている。ディスク出入口１１には、本実施形態に係るディスク載置部の一例としてのディスクトレイ１２が出し入れ可能に装着されている。ディスクトレイ１２は、ディスク載置面１３に載置された光ディスク２を、筐体３外のディスク取出位置と、光ディスク２に対して情報信号の記録（書込み）及び再生（読出し）が実行される筐体３内のディスク装着位置とに選択的に搬送するものである。このディスクトレイ１２は、光ディスク２よりもやや大きな平面長方形をなす板状部材からなるトレイ本体１４と、このトレイ本体１４の長手方向の一端に固定された遮蔽板１５とからなっている。トレイ本体１４の一方の平面である上面に、光ディスク２を収納するための円形の凹部からなるディスク載置面１３が設けられている。
【００３１】
また、トレイ本体１４には、後述するディスク装着部との接触を避けるための切欠き部１６が設けられている。この切欠き部１６は、ディスクトレイ１２の一方の短辺からディスク載置面１３の中央部に至るまで大きく切り欠かれて形成されている。トレイ本体１４の切欠き部１６と反対側の短辺に、遮蔽板１５が一体的に設けられている。遮蔽板１５は、ディスクトレイ１２がディスク装着位置へ移動したときに、ディスク出入口１１を閉じる蓋の機能を果たすものである。この遮蔽板１５は、ディスク出入口１１の形状に見合う横長の長方形とされており、ディスク出入口１１に着脱可能に嵌合される。
【００３２】
光ディスク装置１の装置本体８は、ディスクドライブ装置９と印刷装置１０と制御装置
８０（図１０を参照）等を備えて構成されている。ディスクドライブ装置９は、提供される光ディスク２の情報記録部に対して情報信号を書き込んで新たに情報を記録したり、情報記録部に予め記録されている情報を読み出して再生したりするものである。また、印刷装置１０は、提供される光ディスク２のレーベル面やそのレーベル面に貼り付けられているレーベルシート等に、情報記録部に予め記録されている情報や新たに記録された情報等に関連する事項を、文字、数字、写真、絵、模様等の可視情報として印刷して表示するものである。そして、制御装置８０は、これらディスクドライブ装置９及び印刷装置１０、並びに必要によってその他の装置を駆動制御して、ディスクドライブ装置９に所定の記録再生動作及びその他の動作を実行させたり、印刷装置１０に所定の印刷動作及びその他の動作を実行させたりするものである。
【００３３】
図４は、図２に示す光ディスク装置１から印刷装置１０を取り除いた状態を示す斜視図である。本実施形態では、筐体３内の下方にディスクドライブ装置９が配置され、筐体３内の上方に印刷装置１０が配置されている。この配置を実現するため、筐体３の内部には、その空間部を上下方向に仕切るシャーシプレート１７が配置されている。図５は、シャーシプレート１７に印刷装置１０を搭載した状態を示す斜視図である。シャーシプレート１７は、ベース板４よりやや小さい長方形の板体からなり、その内部には所定の幅で長手方向に延在された長方形の開口穴１８が表裏面を貫通するように設けられている。このシャーシプレート１７の一方の面である上面に印刷装置１０が搭載され、他方の面である下面との間に所定の隙間をあけてディスクドライブ装置９が配置されている。なお、前面板６には、トレイ搬送機構を排出動作させるためのイジェクトボタン３０が設けられている。
【００３４】
ディスクドライブ装置９は、この種の光ディスク装置において一般的に用いられているものと同様の構成であるため、ここでは構成等を簡単に説明する。ディスクドライブ装置９は、ディスク回転機構と、装着部昇降機構と、ピックアップ装置の一具体例を示す光学ピックアップ２３と、ピックアップ移動機構と、ドライブ制御回路等を備える。ディスク回転機構は、光ディスク２が着脱可能に装着されるディスク装着部２０（図３を参照）を有する。装着部昇降機構は、ディスク装着部２０を昇降動作させて光ディスク２のチャッキング及びその解除動作を行う。光学ピックアップ２３は、光ディスク２に対する情報信号の記録及び再生を行う。ピックアップ移動機構は、光学ピックアップ２３を光ディスク２の半径方向へ移動させる。ドライブ制御回路は、上記の機構等を駆動制御する。以下、各構成について詳細に説明する。
【００３５】
ディスク回転機構は、例えば、ステッピングモータやＤＣサーボモータが用いられるスピンドルモータと、このスピンドルモータの回転軸に固定されるターンテーブルとから構成されている。このターンテーブルにより、光ディスク２が着脱可能に装着されるディスク装着部２０が構成されている。ターンテーブルが取り付けられたステッピングモータは、ディスクトレイ１２がディスク装着位置に搬送されたときに、ディスク載置面１３の略中央部に位置するように配置されている。ターンテーブルは、光ディスク２の中心穴に着脱可能に嵌合されるディスク嵌合部と、その中心穴の周囲を支持するディスク載置部とを有している。
【００３６】
装着部昇降機構は、ディスク装着位置においてディスク回転機構を昇降動作させることにより、ターンテーブルに光ディスク２を装着したり、その装着を解除したりするものである。この装着部昇降機構は、例えば、スピンドルモータが搭載されると共に筐体３のベース板４に揺動可能に支持されるモータベースと、このモータベースを揺動させるカム機構と、このカム機構を動作させてスピンドルモータを昇降させる電動モータ等によって構成される。スピンドルモータの上方には、チャッキングプレート２７が配置されている。このチャッキングプレート２７は、スピンドルモータの昇降動作によって持ち上げられた光ディスク２を、ターンテーブルに内蔵された磁石で吸着されて上から押えるものである。このチャッキングプレートとターンテーブルとで光ディスク２を挟持することにより、光ディスク２がターンテーブルから抜け出すことや、ターンテーブル上で滑ることなどを防止している。
【００３７】
チャッキングプレート２７は、ベース板４の側面部４ａの上端縁に固定されたプレート支持板２８によって回転自在に支持されている。プレート支持板２８は、長方形の板状部材からなり、その長手方向の一側にチャッキングプレート２７が回転自在に支持されている。プレート支持板２８は、その長手方向の他側をベース板４の側面部４ａの上端縁に固定することによって片持ち状に取り付けられている。プレート支持板２８は、補助板２９によって支えられ、撓み難いように支持されている。このプレート支持板２８によって支持されたチャッキングプレート２７の位置が、光ディスク２に対して光学ピックアップ２３による情報信号の記録（書込み）及び再生（読出し）が行われるディスク装着位置となっている。
【００３８】
このディスク装着位置と筐体３外のディスク取出位置との間にディスクトレイ１２が、トレイ搬送機構によって搬送可能とされている。トレイ搬送機構は、この種の光ディスク装置において一般的に用いられているものと同様の構成であるため、ここでは構成等を簡単に説明する。トレイ搬送機構は、例えば、ディスクトレイ１２に設けたラック部と、このラック部に噛合されるピニオンと、このピニオンを回転駆動する電動モータ等によって構成される。電動モータを駆動してピニオンを回転させることにより、その回転力がラック部に伝達される。これにより、電動モータの回転方向に応じてディスクトレイ１２が、ディスク装着位置からディスク取出位置に搬送され、又は、ディスク取出位置からディスク装着位置に搬送される。
【００３９】
このトレイ搬送機構の動作時、ディスクドライブ装置９の光学ピックアップ２３、特に、光ディスク２の情報記録部に対面することになる対物レンズ及びその近傍部分は、ディスクトレイ１２の切欠き部１６内に入り込む。そして、ディスクトレイ１２のディスク載置面１３に載置されている光ディスク２がターンテーブルに装着されて所定量を持ち上げられると、その光ディスク２の下側に光学ピックアップ２３が入り込む。これにより、光学ピックアップ２３による光ディスク２の情報記録部に対する情報信号の書き込み及び読み出しが可能となる。
【００４０】
このようにして、ディスクトレイ１２がディスク装着位置に搬送された際に、装着部昇降機構によってモータベースを上昇させることにより、スピンドルモータが上方に移動される。このとき、ターンテーブルのディスク嵌合部が光ディスク２の中心穴に嵌合され、光ディスク２がディスク載置面１３から所定距離だけ持ち上げられる。そして、ターンテーブルに内蔵されている磁石によりチャッキングプレートが吸引され、そのチャッキングプレートとターンテーブルとで光ディスク２が挟持される。また、装着部昇降機構を逆方向へ動作させてモータベースを下降させることにより、ターンテーブルのディスク嵌合部が光ディスク２の中心穴から下方へ抜け出す。これにより、光ディスク２がターンテーブルから抜け出してディスク載置面１３に載置される。
【００４１】
光学ピックアップ２３は、例えば、光検出器と、対物レンズと、この対物レンズを光ディスク２の情報記録部に対向させる二軸アクチュエータ等を有している。光学ピックアップ２３の光検出器は、光ビームを出射する光源となる半導体レーザと、戻りの光ビームを受光する受光素子等から構成されている。この光学ピックアップ２３は、半導体レーザから光ビームを出射し、その光ビームを対物レンズにより集光して光ディスク２の情報記録部に照射すると共に、その情報記録部で反射された戻りの光ビームを光検出器で受光する。これにより、光学ピックアップ２３は、情報記録部に情報信号を記録（書込み）したり、予め情報記録部に記録されている情報信号を再生（読取り）したりすることができる。
【００４２】
この光学ピックアップ２３はスライド部材２６に搭載されていて、そのスライド部材２６と一体的に移動される。また、スライド部材２６には、図示しない２本のガイド軸が互いに平行とされて摺動可能に挿通されている。２本のガイド軸は、光ディスク２の情報記録部の前面をなす主面と略平行に配置され、ディスクトレイ１２の移動方向に延設されている。この２本のガイド軸に摺動可能に保持されたスライド部材２６が、ピックアップ移動機構によって光ディスク２の半径方向へ移動可能とされている。
【００４３】
ピックアップ移動機構としては、例えば、送りネジと送りナットの組み合わせからなる送りネジ機構を適用することができる。ただし、ピックアップ移動機構は送りネジ機構に限定されるものではなく、例えば、ラック・ピニオン機構、ベルト送り機構、ワイヤ送り機構その他の機構を適用することもできる。このピックアップ移動機構によって移動されるスライド部材２６の移動時に、光ディスク２の情報記録部に対する光学ピックアップ２３による情報信号の記録及び再生処理が実行される。
【００４４】
光ディスク装置１の印刷装置１０は、図２及び図３に示すように、インクタンクが収納された印刷ヘッド３１と、この印刷ヘッド３１を光ディスク２の印刷面に沿って移動させるヘッド移動機構３２と、印刷ヘッド３１と印刷面との間の距離を検出する距離検出部３３（図示せず）と、この距離検出部３３の検出素子等をクリーニングするクリーニング機構３４（図示せず）と、これら印刷ヘッド３１とヘッド移動機構３２と距離検出部３３とクリーニング機構３４等の動作を制御する印刷等制御回路（図示せず）等を備えて構成されている。
【００４５】
印刷ヘッド３１は、例えば、図９に示すような構成を有している。図９は、レーベル印刷に用いられるインクジェット方式の印刷ヘッド３１で、インクタンク部とインク吐出部が一体に構成されている方式のものを示している。
【００４６】
図９に示す印刷ヘッド３１は、１個の中空のヘッド筐体３６を備えており、そのヘッド筐体３６の内部に、１色（例えば、ブラック）又は２以上の色（例えば、マゼンタ、シアン、イエローの３色等）の収納部を有するインクタンクと、各色をノズルから個別に吐出させるインク吐出機構（図示しない）が収納されている。ヘッド筐体３６は、直方体の一面の長手方向の略半分に、直方体の膨出部３６ａを設けることによって構成されている。この膨出部３６ａの略中央部に、インクを吐出するためのインク吐出部３７が設けられている。インク吐出部３７には、多数の微細な直径の孔（直径が数μｍ〜数十μｍの数百個の孔）からなるノズルが設けられており、それらのノズルは、使用される色の数と同数の列として配列されている。例えば、マゼンタ、シアン、イエローの３色を用いる印刷ヘッドの場合には、３列のノズルが設けられている。
【００４７】
このような構成を有する印刷ヘッド３１が、ヘッド移動機構３２によって光ディスク２の印刷面に沿って移動可能に設けられている。ヘッド移動機構３２は、印刷ヘッド３１を保持するヘッドホルダ４１と、このヘッドホルダ４１を移動可能に支持するヘッドスライダ４２と、このヘッドスライダ４２を移動可能に支持する２本のヘッドガイド軸４３Ａ，４３Ｂと、この２本のヘッドガイド軸４３Ａ，４３Ｂを固定して支持する２個のガイド軸受４４Ａ，４４Ｂと、印刷ヘッド３１を移動させる送りネジ軸４５及び送りナット４６と、送りネジ軸４５を回転駆動するヘッド送りモータ４７等を備えている。
【００４８】
ヘッドホルダ４１は、印刷ヘッド３１が嵌合される略四角形の枠状をなす部材である。図９は、ヘッドホルダ４１に印刷ヘッド３１を嵌合して印刷ヘッド組立体５０を構成すると共に、その印刷ヘッド組立体５０を印刷ヘッド３１のインク吐出部３７側から斜めに見た説明図である。印刷ヘッド３１の組立時、インク吐出部３７はヘッドホルダ４１を貫通して、その一面である下面４１ａから下方へ突出されている。このヘッドホルダ４１の下面４１ａには、略コの字状に形成されて下方へ突出された門形をなす取付ブラケット４８が設けられている。
【００４９】
この取付ブラケット４８の下面の略中央部に、距離検出部３３の一例としての第１の距離検出センサ５１と第２の距離検出センサ５２の２つの距離検出センサ５１，５２が横並びに配置されて固定されている。第１及び第２の距離検出センサ５１，５２は、印刷ヘッド３１のインク吐出部３７の表面と、ディスク装着部２０に装着されて回転される光ディスク２の印刷面との間の距離を検出するものである。第１及び第２の距離検出センサ５１，５２としては、インク吐出部３７と光ディスク２の印刷面との間の距離Ｓを検出することができるものであればどのようなものでもよいが、例えば、反射型フォトインタラプタが好適である。
【００５０】
フォトインタラプタは、発光ダイオード（ＬＥＤ）とフォトダイオードがセットになった光センサであり、主に赤外線が使用されている。フォトインタラプタには、反射型と透過型があり、本発明には反射型を用いることができる。反射型フォトインタラプタは、ＬＥＤから光を出し、反射光等をフォトダイオードで検出して対象物の光の反射率を調べることにより、対象物との間の距離を精度よく検出することができる。この反射型フォトインタラプタの具体例としては、例えば、コーデンシ株式会社の反射型フォトインタラプタＳＧ−１０５を上げることができる。反射型フォトインタラプタＳＧ−１０５は、発光素子と受光素子が同一面に配置されており、検出物体の反射光によって物体までの距離を検出することができる。
【００５１】
２つの距離検出センサ５１，５２は、印刷ヘッド３１のインク吐出部３７に対する光ディスク２の半径方向内側であって、その光ディスク２の回転方向上流側に横並びに配置されている。この２つの距離検出センサ５１，５２を光ディスク２の回転方向上流側に配置する理由は、インク吐出部３７から吐出されるインクの一部がミストとなって空中を浮遊するため、そのミストが距離検出センサの検出部に付着し難いようにするためである。この実施例では、２つの距離検出センサ５１，５２は、インク吐出部３７の略中央部の延長線上であって、光ディスク２の回転中心側に配置されている。
【００５２】
なお、光ディスク２の印刷面は、その光ディスク２の一面をなすレーベル面２ａである。また、光ディスク２のレーベル面２ａにレーベルシート５３が貼り付けられている場合には、その貼付されているレーベルシート５３の表面５３ａが印刷面となる。印刷ヘッド３１が組み合わされたヘッドホルダ４１は、ヘッドスライダ４２によって相対的に移動可能に支持されている。
【００５３】
図６は、ヘッドホルダ４１とこれを支持するヘッドスライダ４２を図示した説明図である。また、図７は、印刷ヘッド３１と光ディスク２と光学ピックアップ２３の高さ方向における位置関係を説明する説明図である。図６及び図７に示すように、ヘッドスライダ４２が、その下方に所定の隙間をあけて光ディスク２と対向するように設けられている。このとき、光ディスク２は、シャーシプレート１７の反対側に配置されたディスクドライブ装置９のディスク回転機構のターンテーブル（図示せず。）に装着されており、そのターンテーブルに対して光学ピックアップ２３が、光ディスク２の主面である面方向と垂直をなす方向へ接近及び離反可能とされている。
【００５４】
ヘッドスライダ４２は、印刷ヘッド３１の長手方向となる前後方向に所定の間隔をあけて配置された前側部材４２Ａ及び後側部材４２Ｂと、左右方向に所定の間隔をあけて配置されると共に前側部材４２Ａと後側部材４２Ｂを連結する左右の連結部材５４Ａ，５４Ｂとから構成されている。前側部材４２Ａ及び後側部材４２Ｂは、それぞれ長手方向と交差する左右方向に所定の間隔をあけて上方に立ち上げられている。そして、一方の立上げ側の先端には、側方に突出する第１の軸受部５５ａ，５５ａが設けられ、他方の立上げ側の先端には、反対側の側方に突出する第２の軸受部５５ｂ，５５ｂが設けられている。
【００５５】
第１の軸受部５５ａ，５５ａには、それぞれ第１の軸受穴５６ａ，５６ａが設けられており、２つの第１の軸受穴５６ａ，５６ａは同一軸心線上に設定されている。同様に、第２の軸受部５５ｂ，５５ｂには、それぞれ第２の軸受穴５６ｂ，５６ｂが設けられており、２つの第２の軸受穴５６ｂ，５６ｂも同一軸心線上に設定されている。そして、第１の軸受穴５６ａ及び第２の軸受穴５６ｂには、それぞれ軸受部材５８が装着されて圧入等の固定手段により固定されている。これらの軸受部材５８には、２本のガイド軸４３Ａ，４３Ｂが摺動自在に挿通されている。
【００５６】
図８は、印刷ヘッド３１がヘッドホルダ４１によって保持されている状態と、そのヘッドホルダ４１が３本のガイドピン５９ａ，５９ｂを介してヘッドスライダ４２に対して相対的に移動可能に支持されている状態を説明する説明図である。ヘッドホルダ４１の一方の長辺部には第１の支持板６１Ａが取り付けられ、他方の長辺部には第２の支持板６１Ｂが取り付けられている。２つの支持板６１Ａ，６１Ｂは、それぞれ上面部６２ａと側面部６２ｂを有しており、両面部の端部を連続させることによって断面形状がＬ字状をなす部材として形成されている。
【００５７】
２つの支持板６１Ａ，６１Ｂは、それぞれの側面部６２ｂをヘッドホルダ４１の長辺部に固定することによってヘッドホルダ４１と一体的に構成されている。これにより、第１の支持板６１Ａの上面部６２ａが、印刷ヘッド３１の幅方向の一側において前後方向に所定の間隔をあけて配置された第１の軸受部５５ａ，５５ａの上方に対向されている。そして、第２の支持板６１Ｂの上面部６２ａが、印刷ヘッド３１の幅方向の他側において前後方向に所定の間隔をあけて配置された第２の軸受部５５ｂ，５５ｂの上方に対向されている。
【００５８】
第１の支持板６１Ａの上面部６２ａの長手方向の両端には、その側面部６２ｂと略平行をなす方向である下方に延在されたガイドピン５９ａ，５９ａが設けられている。２本のガイドピン５９ａ，５９ａは、２つの軸受部５５ａ，５５ａの上面に開口するように設けたガイド孔６４ａ，６４ａにそれぞれ摺動可能に挿入されている。また、第２の支持板６１Ｂの上面部６２ａの長手方向の中間部には、その側面部６２ｂと略平行をなす方向である下方に延在された１本のガイドピン５９ｂが設けられている。ガイドピン５９ｂは、連結部材５４Ｂの上面に開口するように設けたガイド孔６４ｂに摺動可能に挿入されている。これらのガイドピン５９ａ，５９ａ，５９ｂ及びガイド孔６４ａ，６４ａ，６４ｂは、ヘッドホルダ４１の動きを規制して、ヘッドスライダ４２に対してヘッドホルダ４１を略平行移動させる機能を果たす第１のガイド機構を構成している。
【００５９】
さらに、ヘッドスライダ４２に対するヘッドホルダ４１の平行移動の動作機能を高めるため、本実施形態では、２つの長穴６５ａ，６５ａと、その長穴６５ａに摺動可能に係合される２つの突起６５ｂ，６５ｂとからなる第２のガイド機構６５が設けられている。２つの長穴６５ａ，６５ａは、第１の支持板６１Ａの側面部６２ｂにおいて、横方向へ所定の間隔をあけて配置されていると共に上下方向へ延在するように形成されている。これに対応するように、２つの突起６５ｂ，６５ｂは、第１の連結部材５４Ａの内面において、所定の間隔をあけて内側へ突出するように設けられている。
【００６０】
このように、ヘッドスライダ４２に対してヘッドホルダ４１を略平行に移動させるために２種類のガイド機構を設けた理由は、ヘッドホルダ４１を動作させるための動力源である電動モータを印刷ヘッド３１の水平方向の一側に配置しなければならない構造となっていたことによるものである。すなわち、ヘッドスライダ４２に対してヘッドホルダ４１を相対的に移動させるためのステッピングモータ等からなる調整モータ６６が、ヘッドホルダ４１の幅方向の一側に配置されている。
【００６１】
調整モータ６６は、ヘッドスライダ４２側に固定される固定部６６ａと、この固定部６６ａに回転自在に保持された送りナットを有する回転部６６ｂと、その回転部６６ｂを貫通するネジ軸６７とを有している。調整モータ６６の固定部６６ａは、第１の連結部材５４Ａに設けた棚板６８上に搭載されて一体的に固定されている。また、ネジ軸６７は、第１の支持板６１Ａの下面に一端を固定することによってヘッドホルダ４１に取り付けられている。このネジ軸６７は、調整モータ６６の中心部を上下方向へ貫通して棚板６８の下方に突出されている。
【００６２】
上述した調整モータ６６と、ネジ軸６７とにより、印刷面に対して印刷ヘッド３１を接近又は離反させるように移動させて距離Ｓを調整する距離調整部６０が構成されている。このようにして、調整モータ６６を駆動すると、その回転部６６ｂの回転に基づく送りナットの回転により、その回転方向に応じてネジ軸６７が、その軸方向へ移動する。このネジ軸６７の移動により、第１の支持板６１Ａを介して固定されているヘッドホルダ４１と共に印刷ヘッド３１が、ヘッドスライダ４２の移動方向（前後方向）と垂直をなす方向（光ディスク２の主面と垂直方向）へ相対的に移動される。
【００６３】
このとき、調整モータ６６は印刷ヘッド３１の一側に配置されており、ネジ軸６７の軸心線は印刷ヘッド３１の中心部から離れた位置にある。そのため、軸心線方向へ移動可能とされているネジ軸６７の移動力によって印刷ヘッド３１には回転モーメントが生じ、前記垂直をなす方向と直交する方向に向かう分力が印刷ヘッド３１に作用することになる。この直交方向の分力は、印刷ヘッド３１の垂直方向へのスムースな移動を妨げる抵抗力として作用する。
【００６４】
これに対して、本実施形態では、ヘッドホルダ４１に２つの支持板６１Ａ、６１Ｂを固定すると共に、各支持板６１Ａ，６１Ｂにガイドピン５９ａ，５９ｂを設け、それらのガイドピン５９ａ，５９ｂを、ヘッドスライダ４２の前側部材４２Ａ及び後側部材４２Ｂに設けたガイド孔６４ａ，６４ａ並びに第２の支持板６１Ｂに設けたガイド孔６４ｂに摺動可能に係合している。しかも、３つのガイドピン５９ａ，５９ａ，５９ｂは、三角形を形成するようにバランス良く配置されているため、３つのガイドピン５９ａ，５９ａ，５９ｂを同じような状態で摺動させることができる。その結果、ヘッドホルダ４１を、略水平状態を維持して前記垂直をなす方向へスムースに平行移動させることができる。
【００６５】
さらに、第１の支持板６１Ａの側面部６２ｂに２つの長穴６５ａ，６５ａを設け、これらに摺動可能に係合される２つの突起６５ｂ，６５ｂを第１の連結部材５４Ａに設けている。そのため、ヘッドホルダ４１の水平状態をさらに精度よく維持することができ、そのヘッドホルダ４１を、前記垂直をなす方向へ確実且つスムースに移動させることができる。
【００６６】
このような構成を有する距離調整部６０を備えた印刷ヘッド３１が、２本のヘッドガイド軸４３Ａ，４３Ｂによって移動可能に支持されている。図５に示すように、第１のヘッドガイド軸４３Ａは、ヘッドスライダ４２の一側に設けた第１の軸受部５５ａ，５５ａの２つの軸受穴５６ａ，５６ａの各軸受部材５８に摺動自在に挿通されている。そして、第２のガイド軸４３Ｂが、ヘッドスライダ４２の他側に設けた第２の軸受部５５ｂ，５５ｂの２つの軸受穴５６ｂ，５６ｂの各軸受部材５８に摺動自在に挿通されている。
【００６７】
２本のガイド軸４３Ａ，４３Ｂは、シャーシプレート１７に設けた開口穴１８の長手方向に延在されていると共に、所定の間隔を保持して互いに平行に配置されている。そして、２本のガイド軸４３Ａ，４３Ｂは、２個のガイド軸受４４Ａ，４４Ｂにより固定されて両端支持されている。２個のガイド軸受４４Ａ，４４Ｂは、開口穴１８の長手方向の両端部に配置されており、固定ネジによってシャーシプレート１７にそれぞれ固定されている。
【００６８】
一方のガイド軸４３Ｂの外側には、送りネジ軸４５が所定の間隔をあけて配置されている。送りネジ軸４５は、２本のガイド軸４３Ａ，４３Ｂと平行に設定されており、その軸方向の一端に取り付けたジョイント７１によってヘッド送りモータ４７の回転軸と連結されている。ヘッド送りモータ４７はモータブラケット７２に固定されていて、そのモータブラケット７２は、固定ネジ等の固定手段によってシャーシプレート１７に固定されている。送りネジ軸４５には送りナット４６が螺合されており、その送りナット４６にはナット取付板７３が固定されている。ナット取付板７３は、固定ネジによってヘッドスライダ４２に固定されている。
【００６９】
このようにして、ヘッド送りモータ４７を駆動すると、その回転軸の回転力がジョイント７１を介して送りネジ軸４５に伝達され、さらに、送りナット４６に伝達される。このとき、送りナット４６はナット取付板７３を介してヘッドスライダ４２に固定されているため回転することはないが、ヘッドスライダ４２は２本のヘッドガイド軸４３Ａ，４３Ｂにガイドされてその軸方向へ移動可能とされている。そのため、送りナット４６は、送りネジ軸４５の回転方向に応じて、ヘッド送りモータ４７に近づく方向か、又はヘッド送りモータ４７から遠ざかる方向へ選択的に移動する。これにより、ヘッドスライダ４２が送りナット４６と一体的に移動し、その結果、印刷ヘッド３１が、送りネジ軸４５の軸方向と同方向となっている前後方向に移動される。
【００７０】
印刷ヘッド３１の前後方向への移動は、２つの位置検出センサ７４，７５によって検出可能とされている。第１の位置検出センサ７４は、印刷ヘッド３１のインク吐出部３７が光ディスク２の半径方向内側へ移動し、中心部に最も近い部分を所定距離だけ通過したディスク内側停止位置を検出するものである。また、第２の位置検出センサ７５は、印刷ヘッド３１のインク吐出部３７が光ディスク２の半径方向外側へ移動し、中心部から最も遠く離れたディスク外側停止位置を検出するものである。
【００７１】
これらの位置を検出するため、位置検出片７６がナット取付板７３に取り付けられている。この位置検出片７６を第１の位置検出センサ７４で検出することによってディスク内側停止位置が検出され、その位置に印刷ヘッド３１が停止される。同様に、位置検出片７６を第２の位置検出センサ７５で検出することによってディスク外側停止位置が検出され、その位置に印刷ヘッド３１が停止される。
【００７２】
図３には、印刷装置１０が、シャーシプレート１７を取り除いた状態で筐体３内に収納されていて、ディスクトレイ１２等と重ね合わされている状態が表されている。この光ディスク装置１では、印刷装置１０の印刷ヘッド３１の略中心にあるインク吐出部３７を通るヘッド中心線Ｌｂは、ディスクドライブ装置９の中心部となっているディスク装着部（ターンテーブル）２０の回転中心Ｏｃを通る本体中心線Ｌａから距離Ｅだけ偏心した位置に設定されている。そのため、印刷ヘッド３１は光ディスク２の印刷面に対して、回転中心Ｏｃから距離Ｅだけ偏心したヘッド中心線Ｌｂの軌跡上を移動して印刷処理を実行する。
【００７３】
また、ヘッド中心線Ｌｂ上において、筐体３の奥側には、印刷ヘッド３１のインク吐出部３７に装着されるヘッドキャップ７７と、インク溜め７８が配置されている。ヘッドキャップ７７は、インク吐出部３７のノズルの乾燥を防ぎ、インクが乾いてノズルに詰まるのを防止するものである。また、インク溜め７８は、インク吐出部３７のノズルに空気が入らないように空うちして、インクが出ないといった印刷エラーを防止するものである。  
【００７４】
続いて、図１０を参照しながら、本実施形態に係る光ディスク装置１における信号の流れについて説明する。なお、図１０は、光ディスク装置１における信号の流れを示したブロック図である。
【００７５】
図１０に示すように、光ディスク装置１の制御装置８０は、中央制御部８１と、インターフェース部８２と、ドライブ制御部８３と、トレイ駆動回路８４と、記録制御回路８５と、信号処理部８６と、プリント画像生成部８７と、プリント制御部８８と、距離センサ駆動回路９０と、プリント機構部駆動回路９１と、インク吐出駆動回路９２と、インク残量検出回路９３と、高電圧電源部９６と、接地側電極９７と、高電圧側電極９８等を備える。
【００７６】
中央制御部８１は、ドライブ制御部８３とプリント画像生成部８７とプリント制御部８８の制御をする部分である。この中央制御部８１は、インターフェース部８２から供給された記録データ信号をドライブ制御部８３へ出力する。また、中央制御部８１は、インターフェース部８２から供給される画像データ信号や、ドライブ制御部８３から供給される位置データ信号を、プリント画像生成部８７及びプリント制御部８８に出力する。
【００７７】
インターフェース部８２は、パーソナルコンピュータやＤＶＤレコーダ等の外部装置と光ディスク装置１とを電気的に接続する接続部である。このインターフェース部８２は、外部装置から供給された信号を中央制御部８１に出力する。この中央制御部８１に供給される信号は、外部装置に記憶された外部記憶情報に対応する信号であり、例えば、光ディスク２の情報記録部に記録する記録情報に対応した記録データ信号や、光ディスク２の印刷面（光ディスク２の表面又はレーベルシートの表面）に印刷する可視情報に対応した画像データ信号等を挙げることができる。さらに、インターフェース部８２は、光ディスク装置１が光ディスク２の情報記録部から読み出した再生データ信号を外部装置に出力する。  このような外部装置との電気的な接続の仕様例としては、ＡＴＡ規格（ＡＴ  Ａｔｔａｃｈｍｅｎｔ）やＳｅｒｉａｌ  ＡＴＡ規格（ＳＡＴＡＴ）やＳＣＳＩ規格（Ｓｍａｌｌ  Ｃｏｍｐｕｔｅｒ  Ｓｙｓｔｅｍ  Ｉｎｔｅｒｆａｃｅ）やＵＳＢ規格（Ｕｎｉｖｅｒｓａｌ  Ｓｅｒｉａｌ  Ｂｕｓ）などを例示することができる。
【００７８】
ドライブ制御部８３は、ディスク回転機構のスピンドルモータ２１の回転を制御したり、トレイ駆動回路８４や記録制御回路８５の動作を制御したりする。すなわち、ドライブ制御部８３は、中央制御部８１から供給される制御信号に基づいて制御信号を出力し、スピンドルモータ２１を駆動させる。これにより、スピンドルモータ２１のターンテーブル２０に装着された光ディスク２が、例えば、線速度を一定として回転駆動される。さらに、ドライブ制御部８３は、トレイ駆動回路８４と記録制御回路８５の動作を制御するため、これらに制御信号を出力する。また、ドライブ制御部８３は、信号処理部８６から供給される位置データ信号を中央制御部８１に出力する。
【００７９】
トレイ駆動回路８４は、トレイ搬送機構の駆動モータ（図示しない）の回転を制御する。このトレイ駆動回路８４から出力される制御信号に基づいてトレイ用の駆動モータが駆動される。これにより、ディスクトレイ１２が、筐体３内のディスク装着位置と筐体３外のディスク取出位置との間を搬送される。また、記録制御回路８５は、光学ピックアップ２３による記録データ信号の記録や再生データ信号の再生等を制御する。
【００８０】
光学ピックアップ２３は、レーザ光源２３ａと受光素子２３ｂを有しており、レーザ光源２３ａから発射されて対物レンズから照射される光ビームが、光ディスク２の情報記録部で反射されて受光素子２３ｂに受光される。この光ビームを情報記録部に設けたトラックに追跡させてトラックサーボ及びフォーカスサーボを実行させるための制御信号を、記録制御回路８５が光学ピックアップ２３に出力する。この記録制御回路８５から供給される制御信号に基づいてピックアップ用の駆動モータが駆動される。これにより、光学ピックアップ２３が、スライド部材と一体的に光ディスク２の半径方向へ移動される。
【００８１】
信号処理部８６は、光学ピックアップ２３から供給されるＲＦ（Ｒａｄｉｏ  Ｆｒｅｑｕｅｎｃｙ）信号の復調及び誤り検出等を行い、再生データ信号を生成する。また、信号処理部８６は、ＲＦ信号に基づいて同期信号等の特定パターンを有する信号や光ディスク２の位置データを表す信号として位置データ信号を検出する。この位置データ信号としては、例えば、光ディスク２の回転角を示す回転角信号や、光ディスク２の回転位置を示す回転位置信号を挙げることができる。これら再生データ信号及び位置データ信号は、ドライブ制御部８３に出力される。
【００８２】
プリント画像生成部８７は、中央制御部８１から供給される制御信号に基づいてプリント画像を生成する。また、プリント制御部８８は、中央制御部８１から供給される制御信号に基づいて印刷装置１０の印刷ヘッド３１と、この印刷ヘッド３１を動作させるヘッド駆動機構と、印刷ヘッドと印刷面との間の距離を検出する距離検出部と、印刷ヘッド３１及び距離検出部をクリーニングするクリーニング機構等の制御を行う。
【００８３】
このプリント制御部８８は、プリント画像生成部８７で生成されて中央制御部８１から供給された画像データ信号により得られた画像データに基づいてインク吐出データを生成する。そして、プリント制御部８８は、生成したインク吐出データと、中央制御部８１から供給される位置データ信号に基づいて印刷装置１０を制御する制御信号を生成し、プリント機構部駆動回路９１と、インク吐出駆動回路９２とに制御信号を出力する。このプリント制御部８８によるプリント機構部駆動回路９１及びインク吐出駆動回路９２の制御により、印刷ヘッド３１の制御を介して光ディスク２の印刷面に所望の可視情報が印刷される。
【００８４】
プリント機構部駆動回路９１は、プリント制御部８８から供給される制御信号に基づいてヘッド送りモータ４７と、ヘッドキャップ７７と、吸引ポンプ９４と、ブレード９５とを駆動させる。このとき、ヘッド送りモータ４７が駆動されることにより、印刷ヘッド３１が光ディスク２の半径方向内側から外側へ移動される。印刷ヘッド３１の移動方向は、本実施形態の場合とは逆に、光ディスク２の半径方向外側から内側へ移動されるようにしてもよい。
【００８５】
インク吐出駆動回路９２は、プリント制御部８８から供給された制御信号に基づいて印刷ヘッド３１を駆動させる。これにより、印刷ヘッド３１のインク吐出部３７における各吐出ノズルからインク滴が吐出され、回転駆動された光ディスク２の印刷面にインク滴が付着される。印刷ヘッド３１には、例えば、Ｃ（シアン），Ｙ（イエロー），Ｍ（マゼンタ）の３色が収納されている。この３種類のインクの組み合わせにより、Ｒ（赤），Ｇ（緑），Ｂ（青）の各色の明るさを表す階調値で表現された画像データからなる可視情報として表示される。
【００８６】
さらに、インク吐出駆動回路９２は、印刷ヘッド３１に収納されているインクの残量を検出し、その残量の多少を表示手段によって表示する。このインク残量の検出は使用されているインク毎に行われるが、インクの使用量は印刷条件によって異なるため、通常は、いずれかのインクの残量が所定量以下に減少することによって、インク残量が少ない旨の表示が行われる。
【００８７】
このような光ディスク装置１では、装置内に印刷ヘッド３１を搭載して、光ディスク２を回転させながらレーベル面に可視情報を印刷すると、光ディスク２が回転する際の気流により、印刷ヘッド３１から吐出されたインク滴のミストが飛散して、光ディスク２のレーベル面に付着せずに装置内を浮遊してしまう。この浮遊するミストは、光学ピックアップ２３やディスクトレイ１２などに付着し、装置内を汚染してしまう、という問題があった。また、光学ピックアップ２３が汚染されると、光ディスク２に記録されたデータを読み出したり、光ディスク２にデータを書き込んだりすることが困難になり、記録・再生性能の劣化につながってしまう。
【００８８】
そこで、本実施形態では、図１０に示すような高電圧電源部９６、接地側電極９７及び高電圧側電極９８が設けられている。高電圧電源部９６は、プリント制御部８８からの制御信号に基づいて高電圧電源部９６の接地側出力と高電圧側出力との間に高電圧（例えば、数ｋＶの電圧）を印加する。高電圧電源部９６の接地側出力は、例えば印刷ヘッド３１やトレイ本体１４などの接地側電極９７に接続される。一方、高電圧電源部９６の高電圧側出力は、例えば電極板１０２などの高電圧電極９８に接続される。プリント制御部８８からの制御信号は、印刷ヘッド３１のインク吐出部３７における各吐出ノズルからインク滴が吐出されている間、すなわちインクジェット方式での印刷処理の間、及び／又は、インク滴のミストがドライブ内部を浮遊している間にミストを誘引することができる。
【００８９】
そして、この高電圧の電位差及びドライブ内部の空間に生じる電界によって、後述するようにインク滴のミストをミスト誘引部に誘引する。なお、これらの高電圧の電位差の極性は、正であっても負であってもよい。
【００９０】
一般に、上述したような印刷装置１０の印刷ヘッド３１から吐出されるインク滴の全てが光ディスク２の印刷面に着弾されるものではなく、着弾しなかったインク滴はミストとなって装置内に浮遊し、内部の機構や機器等を汚染する。ここで、図１２Ａに示すように、光ディスク２が回転していない状態で印刷ヘッド３１のインク吐出部３７からインク滴Ｎを吐出した場合、十分な吐出速度を受けたインク滴Ｎは、被印刷媒体である光ディスク２のレーベル面２ａに略垂直に落下してレーベル面２ａに付着する。
【００９１】
このように、印刷ヘッド３１と被印刷媒体である光ディスク２との間に相対的な移動が無く、かつ、周囲の空気の移動も少なければ、インク滴Ｎの吐出によるミストの発生は少なくなる。しかしながら、印刷ヘッド３１と被印刷媒体との相対的な移動が無ければ、インクヘッド方式による画像の印刷は、困難である。従って、通常は、印刷ヘッド３１と被印刷媒体との相対的な移動があり、このような相対的な移動が原因で、光ディスク２のレーベル面２ａに着弾しなかったインク滴Ｎは、ミストＭとなって装置内を浮遊する。
【００９２】
本実施形態では、光ディスク２がディスク回転機構のスピンドルモータ２１により回転駆動されながら印刷を行う、いわゆる、Ｒθ印刷方式を用いている。図１１に示す矢印のように、光ディスク２がディスク装着部によって一定速度で回転すると、光ディスク２の周囲には、光ディスク２の回転に沿って、光ディスク２の中心から半径方向外側に向かう定常的な空気の流れが発生する。
【００９３】
そのため、図１２Ｂに示すように、光ディスク２の回転駆動した際に発生する空気流の中で印刷ヘッド３１のインク吐出部３７からインク滴Ｎを吐出すると、十分な吐出速度を受けたインク滴Ｎは、吐出後のインク滴Ｎが飛翔する速度と飛翔に対する空気抵抗とで生じる垂直方向の慣性力Ｇと、光ディスク２の回転する空気の流れにより受ける水平方向の力Ｒを受ける。そして、インク滴Ｎには、この慣性力Ｇと水平方向の力Ｒを合成した合成力Ｓが作用する。ここで、インク滴Ｎは、慣性力Ｇが水平方向の力Ｒよりも十分に大きいため、インク吐出部３７の真下から若干空気の流れの方向に移動して光ディスク２のレーベル面２ａに付着する。
【００９４】
一方、吐出速度が遅いインク滴や空気抵抗を多く受けるようなインク滴（以下、ミストＭと言う）も同様に、吐出後のミストＭが飛翔する速度と飛翔に対する空気抵抗とで生じる垂直方向の慣性力Ｇｓと、空気の流れにより受ける水平方向の力Ｒｓを受ける。そして、ミストＭには、この慣性力Ｇｓと水平方向の力Ｒｓを合成した合成力Ｓｓが作用する。ここで、ミストＭにかかる慣性力Ｇｓは、吐出時の飛翔速度が遅いことや、ミストＭの大きさが小さいために飛翔に対する空気抵抗がその質量に比して大きいことなどから、十分な吐出速度を受けたインク滴Ｎにかかる慣性力Ｇよりも小さくなる。
【００９５】
その結果、ミストＭは、光ディスク２のレーベル面２ａに付着せずに、空気に流されて筐体３内を浮遊する。そのため、この浮遊するミストＭが、光学ピックアップ２３のピックアップレンズ等に付着して情報の読み書きを行う対物レンズを汚染し、読み書きの不良を生じ易くしたり、電気回路等に付着して、動作不良を生じさせたりするおそれがあった。
【００９６】
（高電圧印加によるインクの挙動）
これに対して、本発明者らは、浮遊するミストＭによる装置内の汚染を防止するために、高電圧を印加して電界を発生させることにより、ミストＭを誘引して所定位置に吸着させることに着目し、高電圧印加によるインクの挙動を調査した。以下、図１３〜図１５を参照しながら、本発明者ら検討した結果得た知見に基づいて、高電圧の印加によるインクの挙動について説明する。なお、図１３は、高電圧の印加によるインクの挙動の一例を示す説明図である。また、図１４Ａは、インクミストの飛散によるドライブ内の汚染防止効果を確認するための実験装置の構成を示す側面図であり、図１４Ｂは、インクミストの飛散によるドライブ内の汚染防止効果を確認するための実験装置の構成を示す平面図であり、図１５は、インクミストの飛散によるドライブ内の汚染防止効果を確認するためのインク捕集実験の実験結果を示す写真である。
【００９７】
図１３に示すように、印刷ヘッドの一例としてのインクジェットヘッド３１’は、半導体プロセスにより作成される。そして、インクジェットヘッド３１’の例を含む、各種のインクの吐出方式として、サーマル方式、静電吐出方式、ピエゾ方式が知られている。
【００９８】
サーマル方式は、熱エネルギーを用いてインクを吐出させる方式で、液体としてのインクを収容するインク液室と、インク液室内に設けられたエネルギー発生素子としての発熱抵抗体と、インクを液滴として吐出するノズルとを備える装置により実現される。この装置では、インクを発熱抵抗体で急速に加熱し、発熱抵抗体上のインクに気泡を発生させ、気泡発生時のエネルギーによって、インクの液滴をノズルから吐出させている。
【００９９】
また、静電吐出方式は、エネルギー発生素子として、サーマル方式の発熱抵抗体に代えて、振動板と、この振動板の下側に、空気層を介した２つの電極を設けた装置により実現される。この装置では、両電極間に電圧を印加し、振動板を下側にたわませ、その後、電圧を０Ｖにして静電気力を開放する。このとき、振動板が元の状態に戻るので、その際の弾性力を利用することで、インクの液滴を吐出させている。
【０１００】
また、ピエゾ方式は、エネルギー発生素子として、サーマル方式の発熱抵抗体に代えて、両面に電極を有するピエゾ素子と振動板との積層体を用いた装置により実現される。この装置では、ピエゾ素子の両面の電極に電圧を印加すると、圧電効果により振動板に曲げモーメントが発生し、その結果振動板がたわみ、変形する。したがって、この変形を利用することで、インクの液滴を吐出させている。
【０１０１】
インクジェットヘッド３１’は、上述したサーマル方式、静電吐出方式、又はピエゾ方式のいずれかの方式を用いてインク吐出部３７’からインク３７ａを吐出するが、このとき、インク吐出部３７’の電位は、ほぼ接地（グラウンド）電位とすることが望ましい。そこで、本発明者らは、まず、図１３に示すように、インク吐出部３７’付近に電極１０２’を設け、この電極１０２’に対して、電源１０１’により数ｋＶ（例えば、２ｋＶ）の高電圧を印加した場合のインク３７ａの挙動について確認した。その結果、図１１の右側の図に示すように、インク３７ａは、インク吐出部３７’側（低電位側）から、高電圧が印加された電極１０２’側（高電位側）に引っ張られることが確認された。なお、電極１０２’には正負の高電圧を印加したが、正負どちらの場合もインクを引き付けることが確認された。この結果から、本発明者らは、ディスクドライブ内に飛散するインクミストを高電圧が印加された電極等に誘引し、インクミストを捕集することにより、ディスクドライブ内の汚染を防止することできると考えた。
【０１０２】
そこで、本発明者らは、上記の考えを確認するために、図１４Ａ及び図１４Ｂに示すような構成で実験を行った。本実験に使用した光ディスク装置は、光ディスク２が載置されるトレイ１２と、トレイ１２に載置された光ディスク２のレーベル面に向けてインクを吐出するインクジェットヘッド３１’と、光ディスク２を回転させるスピンドルモータ２１’と、高電圧が印加される電極１０２’と、電極１０２’に高電圧を印加する電源１０１’と、を備える。
【０１０３】
インクジェットヘッド３１’は、光ディスク２の記録面とは反対側のレーベル面（図２Ａでは上側の面）側に設けられており、インク吐出部３７’から、トレイ１２に載置された光ディスク２のレーベル面に向けてインク３７ａを吐出する。また、インクジェットヘッド３１’は、例えば、光ディスク２のラジアル方向に平行な方向に移動可能となっており、回転する光ディスク２に対して、その外周側から内周側に移動しながらインクを吐出することにより、レーベル面に印刷を行う。
【０１０４】
スピンドルモータ２１’の一端には、スピンドル軸２１ａが連結されている。このスピンドル軸２１ａは、光ディスク２の略中心部を貫通するように設けられ、光ディスク２を回転可能に支持している。
【０１０５】
電極１０２’は、例えば、光ディスク２のレーベル面側に、光ディスク２の外周側を覆うように設けられている略矩形状の金属板である。この電極１０２’の長手方向は、例えば、インクジェットヘッド３１’の移動方向と平行な方向となっている。なお、本実験では、電源１０１’は、電極１０２’のみに接続されており、電極１０２’にのみ高電圧が印加されるようにした。
【０１０６】
本発明者らは、以上のような構成の光ディスク装置を用い、電極１０２’に電圧（本実験では、１〜２ｋＶとした。）を印加する場合と印加しない場合とにおける、電極１０２’によるインクミストの捕集効果を確認する実験を行った。その結果を図１５に示す。図１５のＡの写真は、電極１０２’に電圧を印加しなかった場合の電極１０２’の写真であり、図１５のＢの写真は、電極１０２’に電圧を印加した場合の電極１０２’の写真であり、他の部分よりも黒くなっている部分が、インクが吸着している部分を示している。
【０１０７】
図１５に示すように、電極１０２’に電圧を印加しなかった場合には、電極１０２’には、浮遊しているインクが自然に吸着する程度で、ほとんどインクは吸着しなかった。しかし、電極１０２’に電圧を印加した場合には、ディスクドライブ内を浮遊しているインクが高電位側、すなわち、高電圧が印加されている電極１０２’側に引き付けられ、電極１０２’には多量のインクが付着することが確認された。
【０１０８】
（第１の実施形態に係るミスト誘引部について）
以上の実験結果から、本発明者らは、インク滴のミストを捕集したい部分には高電圧を印加し、ミストを付着させたくない部分は接地電位としておけば、ミストの付着領域が任意に制御可能となり、ディスクドライブ内の汚染を防止することができる、という知見を得た。以下、このような知見に基づいてなされた本実施形態に係るミスト誘引部について、詳細に説明する。
【０１０９】
まず、図１６及び図１７を参照しながら、本実施形態に係るミスト誘引部１０１の構成について説明する。図１６は、本実施形態に係る光ディスク装置１におけるミスト誘引部１０１の構成を示す説明図であり、図１７は、本実施形態に係る電極板１０２の詳細な構成を示す説明図である。
【０１１０】
図１６に示すように、インク吐出部３７から吐出され、装置内を浮遊するミストＭを吸着して、不具合の発生を防止するために、本実施形態では、筐体３内部にミスト誘引部１０１を設けている。ミスト誘引部１０１は、所定の電圧を印加することにより、光ディスク２が収納された空間内に電界を発生させて、ミストＭを静電気力により誘引し吸着するものである。このミスト誘引部１０１は、２つの電極板１０２と、この２つの電極板１０２に所定の電圧を印加する高電圧電源部１０３（図１０における高電圧電源部９６及び高電圧電極９８などに相当する）とを有している。
【０１１１】
２つの電極板１０２は、印刷ヘッド３１を間に挟んで、光ディスク２のレーベル面２ａと対向するように配置されている。２つの電極板１０２は、それぞれ天板１０７に支持されて筐体３を構成する上面板５の上面部５ａの内側に取り付けられている。なお、印刷ヘッド３１及びトレイ本体１４は、高電圧電極部９６の接地側出力及び接地側電極９７が接続されて接地（アース、０Ｖ）されている。
【０１１２】
また、図１７に示すように、電極板１０２は略平板状であり、略平板状の天板１０７に接着等の固定方法によって固定されている。この電極板１０２の材質としては、高電圧を導通させる導電性の材料が用いられ、このような材料としては、例えば、銅、鉄、アルミ、金、銀等の金属、又は導電性の樹脂等が挙げられる。そして、この電極板１０２の光ディスク２と対向する面側には、ミストＭを吸着するミスト吸着部１０５が設けられている。また、この電極板１０２とミスト吸着部１０５との間には、非透過部１０６が介在されている。これにより、この電極板１０２、ミスト吸着部１０５、非透過部１０６の３層構造になっている。
【０１１３】
ミスト吸着部１０５は略平板状であり、非透過部１０６を介して電極板１０２の光ディスク２と対向する面側に配置されている。ミスト吸着部１０５の材質としては、海綿、スポンジ等の多孔質材料、又は、不織布、紙などの繊維状の材料が挙げられる。このように、ミスト吸着部１０５を多孔質又は繊維状の材料で形成したことにより、吸着した後のミストＭに含まれる染料や顔料等が電極板１０２から落下するおそれがなくなる。その結果、吸着したミストＭによって、光ディスク２のレーベル面２ａを汚染することを防止することができると共にユーザの皮膚や着衣に汚れが付着することを防止することができる。さらに、ミスト吸着部１０５の表面性や表面構造及び電界の効果によって、ミストＭだけでなく埃や粉塵なども吸着することができ、筐体３内部の清浄性を高めることもできる。
【０１１４】
非透過部１０６は、フィルム状をなしており、電極板１０２の一面全体を覆うように取り付けられ、電極板１０２とミスト吸着部１０５の間に介在されている。非透過部１０５の材質としては、ミストの水分を透過しない材質が用いられ、例えば、ＰＥ（ポリエチレン）、ＰＥＴ（ポリエチレンテレフタレート）、ＰＰ（ポリプロピレン）等の高分子系樹脂のフィルムが挙げられる。このように、非透過部１０６によって、電極板１０２を覆うことにより、飛散したミストＭの水分が電極板１０２に移動するのを阻止することができる。その結果、ミストＭが、電極板１０２に付着して漏電、放電及び感電することを防ぐことができる。更に、筐体３内部に異物が入った場合や、ユーザが電極板１０１に触れた場合でも、接触によって流れる電流を少なくすることができ、漏電、放電及び感電することを防ぐことも可能である。
【０１１５】
次に、図１８を参照しながら、このような構成を有するミスト誘引部１０１のミスト吸着動作について説明する。図１８は、本実施形態に係る光ディスク装置１におけるインク滴の流れを示す説明図である。
【０１１６】
まず、光ディスク２がスピンドルモータ２１により回転駆動されると、光ディスク２の周囲には一定の流速の空気の流れ（図７Ｂの例では、太矢印で示した方向の流れ）が生じる。なお、印刷ヘッド３１及びトレイ本体１４は、アースが接続されており、電位は０Ｖに設定されている。この環境下で、電極板１０２に電圧（例えば、−２ｋＶ）を印加すると、光ディスク２が収納された空間内には、電界が発生する。なお、電極板１０２に印加する電圧の極性は、正負いずれでも良い。
【０１１７】
この状態で、印刷ヘッド３１から光ディスク２のレーベル面２ａに向けてインク滴Ｎを吐出する。すると、図１８に示すように、印刷ヘッド３１から十分な吐出速度を受けたインク滴（いわゆる主滴）Ｎは、電極板１０２への電圧の印加により発生した電界によって引力Ｅｍを若干受ける。また、インク滴Ｎは、光ディスク２の回転による空気の流れより作用する水平方向の力Ｒｍの影響も受ける。そして、慣性力Ｇｍと空気の流れによる力Ｒｍと電界による引力Ｅｍを合成した合成力Ｓｍが力の釣り合いとなって、インク滴Ｎの飛翔軌道に作用する。このとき、インク滴Ｎは、吐出による飛翔速度と空気抵抗による慣性力Ｇｍが大きいため、電界が発生していない場合と大きく変わらず、電極板１０２に吸着されることなく、光ディスク２のレーベル面２ａに付着する。
【０１１８】
一方、電圧を印加した結果、吐出速度が遅いインク滴や空気抵抗を多く受けるようなインク滴（いわゆるサテライト滴）のミストＭは、吐出による飛翔速度と空気抵抗による慣性力Ｇｓが小さく、空気の流れから受ける水平方向の力Ｒｓによる影響が大きいため、空気の流れに乗って浮遊する。そして、このミストＭが電極板１０２に近づくと、電極板１０２への電圧の印加により発生した電界による引力Ｅｓ（静電気力）を受ける。すると、ミストは、慣性力Ｇｓと空気の流れによる力Ｒｓと電界による引力Ｅｓを合成した合成力Ｓｓが力の釣り合いとなる。しかしながら、ミストＭは、慣性力Ｇｓが小さいことと電界による引力Ｅｓのために、上下方向の速度ベクトルが低下する。
【０１１９】
そして、ミストＭは、飛翔を続けるが、吐出によって得た初期の慣性力Ｇｓは次第に小さくなり、光ディスク２の回転による空気の流れに流されたような軌道に近くなる。このとき、電極板１０２への電圧の印加により発生した電界による引力Ｅｓ（静電気力）は、ミストＭに作用し続ける。その結果、吐出により印刷ヘッド３１から光ディスク２のレーベル面２ａの方向（図１８では下向き方向）に向けて飛翔していたミストＭの軌道は、次第に、電極板１０２が配置された上向き方向へとその軌道を変えていく。
【０１２０】
さらにミストＭは、飛翔を続けると、光ディスク２の回転による空気の流れに乗りながら、かつ等電位面の傾斜に沿いながら、飛翔軌道上の空間の電界ベクトルで生じる引力Ｅｓを更に受ける。そして、ミストＭは、電極板１０２（または、電極板１０２に取り付けられたミスト吸着部１０５）に吸着される。
【０１２１】
上述したようなミストＭの吸着動作を考慮すると、本実施形態に係る光ディスク装置１においては、電極板１０２は、インク吐出部３７よりも上方に配置されることが好ましい。電極板１０２が、インク吐出部３７よりも下方に配置されると、インク吐出部３７から吐出されたインク滴のミストＭが、電極板１０２の上方に浮遊し、電極板１０２（または、電極板１０２に取り付けられたミスト吸着部１０５）に吸着されずに、ディスクドライブ内を汚染する可能性があるためである。
【０１２２】
以上のように、本実施形態に係る光ディスク装置１によれば、光ディスク２が回転駆動する際に生じる一定方向の空気の流れとミスト誘引部１０１によって発生される電界の相乗効果によって、被印刷媒体である光ディスク２のレーベル面２ａに付着できなかったミストＭをミスト誘引部１０１の電極板１０２に引き寄せ、効率良くミストＭを吸着することができる。これにより、ミストＭによって周囲の装置が汚染されるのを防止又は抑制することができる。
【０１２３】
すなわち、図１１を用いて説明した光ディスク２が一定速度で回転することで発生する定常的な空気の流れと、図１２Ｂを用いて説明した空気流の中での印刷ヘッド３１のインク吐出部３７からのインク滴Ｎの飛翔過程とミストＭの発生過程と飛翔過程と、図１８を用いて説明した空間内に電界が印加された状態でのインク滴Ｎの飛翔過程とミストＭの飛翔過程との、物理的な連携作用と相乗効果によって効率良くミストＭを吸着することができる。
【０１２４】
（電極板の配置箇所について）
ここで、さらに効率よくミストを吸着するためには、電極板１０２をミストＭの浮遊量（濃度）が最も高くなっている箇所に配置することが好ましい。以下、図１９Ａ、１９Ｂ、２０Ａ及び２０Ｂを参照しながら、電極板１０２の好適な配置箇所について説明する。図１９Ａ及び図１９Ｂは、それぞれ、本実施形態に係る光ディスク装置１において光ディスク２の外周側を印刷する際のミストＭの流れの様子を示す斜視図及び平面図である。図２０Ａ及び図２０Ｂは、それぞれ、本実施形態に係る光ディスク装置１において光ディスク２の内周側を印刷する際のミストＭの流れの様子を示す斜視図及び平面図である。なお、図１９Ａ〜図２０Ｂにおいて、光ディスク２は、時計回りに回転しているものとする。
【０１２５】
まず、図１９Ａ及び図１９Ｂに示すように、印刷ヘッド３１によって光ディスク２の外周側を印刷する際には、印刷ヘッド３１から吐出されたインク滴ＮのミストＭは、光ディスク２が回転駆動する際に発生する空気の流れにより、筐体３内を浮遊する。より詳細には、印刷ヘッド３１のインク吐出部３７から吐出されたインク滴ＮのミストＭは、印刷ヘッド３１のインク吐出部３７を発生源として、光ディスク２のレーベル面２ａ上で回転による空気の流れに乗って、光ディスク２の回転方向の下流側、すなわち、本実施形態の配置では光ディスク２の外周から筐体３の印刷ヘッド３１側の側壁に向かって飛散する（図１９Ａ、図１９Ｂ中の矢印Ｍａ）。
【０１２６】
次に、ミストＭは、光ディスク２の最外周の辺部に到達し、その後、最外周の外の光ディスク２の無い場所へ到達して、ミストＭを含む空気流が筐体３の側壁に衝突する（図１９Ａ、図１９Ｂ中の矢印Ｍｂ）。そして、筐体３の側壁に衝突すると、ミストＭは、光ディスク２が回転駆動する際に光ディスク２の辺部とその周囲の筐体３の構造で発生する空気の流れに乗って、筐体３内全体に拡散する。このとき、ミストＭを含む空気流が最外周の外の光ディスク２の無い場所へと到達して筐体３の側壁に衝突した後、ミストＭは、光ディスク２のレーベル面２ａ上だけでなく、光ディスク２のレーベル面２ａと反対側の面、すなわち、情報記録面の下を通過する空気の流れに乗って、筐体３内全体に拡散する（図１９Ａ、図１９Ｂ中の矢印Ｍｃ）。
【０１２７】
この際、図１９Ｂに示すように、ミストＭの浮遊量（濃度）は、インク吐出部３７を基準として、光ディスク２の回転方向下流側の点線で囲んだ領域Ｔが最も高くなっている。そのため、このミストＭの浮遊量（濃度）が最も高くなっている箇所でミストＭを吸着することが、効果的である。特に、ミストＭが光ディスク２の最外周の辺部に到達する前は、光ディスク２のレーベル面２ａ上で濃度が高くなっている。そして、ミストＭが光ディスク２の最外周の辺部に到達した後は、光ディスク２の辺部とその周囲の筐体３内の空間において、光ディスク２のレーベル面２ａ側及び情報記録面側の両方の空間で濃度が高くなっている。
【０１２８】
従って、光ディスク２の外周側を印刷する際には、ミストＭの浮遊量（濃度）が最も高い領域Ｔ（インク吐出部３７に対して光ディスク２の回転方向の下流側）に電極板１０２を配置することが好ましい。これにより、効率良くミストＭを吸着することができ、ミスト誘引部１０１による筐体３内の汚染防止効果を向上させることができる。
【０１２９】
次に、図２０Ａ及び図２０Ｂに示すように、印刷ヘッド３１によって光ディスク２の内周側を印刷する際、印刷ヘッド３１から吐出されたインク滴ＮのミストＭは、光ディスク２が回転駆動する際に発生する空気の流れにより、筐体３内を浮遊する。より詳細には、光ディスク２の周囲に流れる空気は、図１１に示すように、光ディスク２の回転方向に沿って該光ディスク２の中心から半径方向外側に向かって流れている。そのため、印刷ヘッド３１から吐出されたインク滴ＮのミストＭは、光ディスク２の回転方向に沿って回転しながら、光ディスク２の中心から半径方向外側（外周）に向けて弧を描くように浮遊する（図２０Ａ、２０Ｂ中の矢印Ｍｄ）。次に、ミストＭは、光ディスク２の最外周の辺部に到達し、光ディスク２の外周から離れて光ディスク２の無い場所へ到達すると、筐体３の側壁に沿って浮遊する（図２０Ａ、２０Ｂ中の矢印Ｍｅ）。そして、ミストＭは、筐体３内部に流れる空気の流れに乗って、筐体３内部を周回しながら拡散する。
【０１３０】
本実施形態の筐体３内部の配置では、ディスク出入口１１とは反対側の奥の方に、ディスクトレイ１２及び光学ピックアップ２３が移動するための空間を備えている。そのため、ミストＭは、筐体３内部を周回した後、再び光ディスク２の回転による空気流で、光ディスク２の近傍に接近する（図２０Ａ、２０Ｂ中の矢印Ｍｆ）。そして、ミストＭは、光ディスク２のレーベル面２ａ上及び情報記録面の下を通過する空気の流れに乗って、筐体３内にさらに拡散していく。
【０１３１】
この際、図２０Ｂに示すように、ミストＭの浮遊量（濃度）は、インク吐出部３７を基準として、光ディスク２の回転方向下流側の点線で囲んだ領域Ｕが最も高くなっている。そのため、ミストＭの浮遊量（濃度）が最も高くなっている箇所でミストＭを吸着することが、効果的である。従って、光ディスク２の内周側を印刷する際には、ミストＭの浮遊量（濃度）が最も高い領域Ｕ（インク吐出部３７に対して光ディスク２の回転方向の下流側）に電極板１０２を配置することが好ましい。これにより、効果的にミストＭを吸着することができ、ミスト誘引部１０１による筐体３内の汚染防止効果を向上させることができる。
【０１３２】
このように、本実施形態に係る光ディスク装置１においては、電極板１０２は、印刷ヘッド３１のインク吐出部３７に対して、光ディスク２の回転方向の下流側に配置されることが好ましい。
【０１３３】
＜第１の例に係る光ディスク装置１Ａについて＞
以上説明したような本発明の第１の実施形態に係る光ディスク装置１について、ミスト誘引部１０１の構成の異なる３つの例について、以下に説明する。まず、図２１を参照しながら、本実施形態に係るディスク装置の第１の例として、光ディスク装置１Ａの構成について説明する。なお、図２１は、本実施形態に係るディスク装置の第１の例の構成を示す説明図である。
【０１３４】
光ディスク装置１Ａは、本実施形態に係るディスク状記録媒体の一例としての光ディスク２が挿入され、挿入された光ディスク２のレーベル面に印刷を行うことが可能な装置である。具体的には、図２１に示すように、光ディスク装置１Ａは、本実施形態に係るディスク載置部の一例としてのトレイ本体１４と、印刷ヘッド３１と、スピンドルモータ２１と、ミスト誘引部１０１Ａと、を備える。
【０１３５】
トレイ本体１４は、ディスク装着部２０により回転可能に支持された光ディスク２が載置されるディスク載置面１３を有する。また、例えば、トレイ本体１４の表面に導電塗装を施すことなどにより、トレイ本体１４の表面を導電帯としてもよい。このように、トレイ本体１４の表面を導電帯とすると、トレイ本体１４の表面を高電位にしたり、接地電位にしたりすることが容易となる。
【０１３６】
印刷ヘッド３１は、光ディスク２の記録面とは反対側のレーベル面（図２１では光ディスク２の上側の面）側に設けられており、インク吐出部３７から、トレイ本体１４に載置された光ディスク２のレーベル面に向けてインク滴を吐出する。また、印刷ヘッド３１は、例えば、光ディスク２のラジアル方向に平行な方向に移動可能となっており、回転する光ディスク２に対して、その外周側から内周側に移動しながらインク滴を吐出することにより、レーベル面に印刷を行う。
【０１３７】
スピンドルモータ２１の一端には、ディスク装着部２０が連結されている。このディスク装着部２０は、光ディスク２の略中心部を貫通するように設けられ、光ディスク２を回転可能に支持する。
【０１３８】
ミスト誘引部１０１Ａは、天板１０７の下面側に設けられた電極板１０２と、電極板１０２に高電圧を印加する高電圧電源部１０３Ａとを有する。電極板１０２に高電圧電源部１０３Ａから所定の電圧（例えば、−２ｋＶ）が印加されることにより、印刷ヘッド３１のインク吐出部３７から吐出されたインク滴を誘引して、電極板１０２の下側の面、すなわち、光ディスク２のレーベル面と対向する側の面に、インク滴を付着させる。この電極板１０２は、例えば、光ディスク２をそのレーベル面側から覆うように設けられている金属板である。
【０１３９】
高電圧電源部１０３Ａは、インク滴のミストを捕集させる部分に高電圧（例えば、数ｋＶの電圧）を印加する。この第１の例では、高電圧電源部１０３Ａは、電極板１０２のみに高電圧を印加して電極板１０２のみが高電位となり、トレイ本体１４の表面が接地電位となるように、トレイ本体１４は接地されている。
【０１４０】
以上のような構成を有する光ディスク装置１Ａにおいては、電極板１０２が高電位となっているので、インク滴は、高電位側の電極板１０２側に誘引され、電極板１０２の表面に付着する。一方、トレイ本体１４は接地電位となっているので、トレイ本体１４の表面へのインク滴の付着を抑制することができる。
【０１４１】
このようにして、本実施形態の第１の例に係る光ディスク装置１Ａによれば、ディスクドライブ内を浮遊しているインク滴のミストを、高電圧が印加された電極板１０２に吸着させることで、ミストの飛散によるディスクドライブ内の汚染を防止することができる。特に、この第１の例では、電極板１０２を高電位、トレイ本体１４を接地電位としていることにより、ミストを光ディスク２の上方側（レーベル面側）に誘引して捕集することにより、ミストが光ディスク２の下方側（記録面側）に浮遊することを抑制できる。従って、光ディスク装置１Ａによれば、光ディスク２の記録面側に設けられたピックアップの汚染や、光ディスク２が載置されるトレイ本体１４の汚染を防止することができる。また、光ディスク装置１Ａのユーザが、光ディスク２を交換したりする際に触れる可能性が高いトレイ本体１４に高電圧を印加する必要がないため、ユーザの安全も確保することができる。
【０１４２】
＜第２の例に係る光ディスク装置１Ｂについて＞
次に、図２２を参照しながら、本実施形態に係るディスク装置の第２の例として、光ディスク装置１Ｂの構成について説明する。なお、図２２は、本実施形態に係るディスク装置の第２の例の構成を示す説明図である。
【０１４３】
光ディスク装置１Ｂは、本実施形態に係るディスク状記録媒体の一例としての光ディスク２が挿入され、挿入された光ディスク２のレーベル面に印刷を行うことが可能な装置である。具体的には、図２２に示すように、光ディスク装置１Ｂは、本実施形態に係るディスク載置部の一例としてのトレイ本体１４と、印刷ヘッド３１と、スピンドルモータ２１と、ミスト誘引部１０１Ａ、１０１Ｂと、を備える。
【０１４４】
この第２の例に係る光ディスク装置１Ｂは、上述した第１の例に係る光ディスク装置１Ａと構成部品は同様であるが、高電圧電源部１０３Ａにより高電圧が印加された電極板１０２だけでなく、トレイ本体１４も本実施形態に係るミスト誘引部１０１Ｂとして機能している点で、第１の例の場合と異なる。すなわち、光ディスク装置１Ｂにおいては、電極板１０２だけでなくトレイ本体１４にも、高電圧電源部１０３Ｂから高電圧が印加され、トレイ本体１４の表面においても、インク滴のミストを吸着させる。
【０１４５】
以上のような構成を有する光ディスク装置１Ｂにおいては、電極板１０２及びトレイ本体１４が高電位となっているので、インク滴は、高電位側の電極板１０２及びトレイ本体１４側に誘引され、電極板１０２及びトレイ本体１４の表面に付着する。一方、ディスクドライブ内のその他の部分や光ディスク２自体は接地電位となっているので、これらの部分へのインク滴の付着を抑制することができる。
【０１４６】
このようにして、本実施形態の第２の例に係る光ディスク装置１Ｂによれば、ディスクドライブ内を浮遊しているインク滴のミストを、高電圧が印加された電極板１０２及びトレイ本体１４に吸着させることで、ミストの飛散によるディスクドライブ内の汚染を防止することができる。特に、この第２の例では、電極板１０２及びトレイ本体１４を高電位としていることにより、ミストを光ディスク２の周囲の上方側（レーベル面側）及び下方側に誘引して捕集することにより、ミストがディスクドライブ内の広範な領域に浮遊することを抑制できる。従って、光ディスク装置１Ｂによれば、上述した第１の例の場合と比較すると、光ディスク２の記録面側に設けられたピックアップの汚染や、光ディスク２が載置されるトレイ本体１４の汚染の可能性がやや高まるが、飛散したミストの捕集能力をさらに向上させることができ、ミストの飛散によるディスクドライブの汚染を効果的に防止することができる。
【０１４７】
＜第３の例に係る光ディスク装置１Ｃについて＞
次に、図２３を参照しながら、本実施形態に係るディスク装置の第３の例として、光ディスク装置１Ｃの構成について説明する。なお、図２３は、本実施形態に係るディスク装置の第３の例の構成を示す説明図である。
【０１４８】
光ディスク装置１Ｃは、本実施形態に係るディスク状記録媒体の一例としての光ディスク２が挿入され、挿入された光ディスク２のレーベル面に印刷を行うことが可能な装置である。具体的には、図２３に示すように、光ディスク装置１Ｃは、本実施形態に係るディスク載置部の一例としてのトレイ本体１４と、印刷ヘッド３１と、スピンドルモータ２１と、ミスト誘引部１０１Ａ，１０１Ｂ，１０１Ｃと、を備える。
【０１４９】
この第３の例に係る光ディスク装置１Ｃは、上述した第１及び第２の例に係る光ディスク装置１Ａ、１Ｂと構成部品は同様であるが、電極板１０２やトレイ本体１４だけでなく、光ディスク２自体も本実施形態に係るミスト誘引部１０１Ｃとして機能している点で、第１及び第２の例の場合と異なる。すなわち、光ディスク装置１Ｃにおいては、電極板１０２及びトレイ本体１４だけでなく光ディスク２自体にも、高電圧電源部１０３Ｃから高電圧が印加され、光ディスク２の表面においても、インク滴のミストを吸着させる。
【０１５０】
以上のような構成を有する光ディスク装置１Ｃにおいては、電極板１０２、トレイ本体１４及び光ディスク２が高電位となっているので、インク滴は、高電位側の電極板１０２、トレイ本体１４及び光ディスク２側に誘引され、電極板１０２、トレイ本体１４及び光ディスク２の表面に付着する。一方、ディスクドライブ内のその他の部分は接地電位となっているので、これらの部分へのインク滴の付着を抑制することができる。
【０１５１】
このようにして、本実施形態の第３の例に係る光ディスク装置１Ｃによれば、ディスクドライブ内を浮遊しているインク滴のミストを、高電圧が印加された電極板１０２、トレイ本体１４及び光ディスク２により捕集することで、ミストの飛散によるディスクドライブ内の汚染を防止することができる。特に、この第３の例では、電極板１０２及びトレイ本体１４に加えて、光ディスク２自体を高電位としていることにより、ミストを光ディスク２自体と、その周囲の上方側（レーベル面側）及び下方側に誘引して捕集することにより、ミストがディスクドライブ内の広範な領域に浮遊することを抑制できる。従って、光ディスク装置１Ｃによれば、上述した第１及び第２の例の場合と比較すると、光ディスク２自体の汚染の可能性がやや高まるが、飛散したミストの捕集能力を、第２の例の場合よりもさらに向上させることができ、ミストの飛散によるディスクドライブの汚染を効果的に防止することができる。
【０１５２】
なお、本実施形態では、印刷ヘッド３１を接地（０Ｖ）し、電極板１０２やトレイ本体１４や光ディスク２に電圧（例えば、−２ｋＶ）を印加した例を説明したが、これらに限定されるものではない。例えば、電極板１０２に電圧を印加すると共に、印刷ヘッド３１に電極板１０２と反対の極性の電圧（例えば、−２ｋＶとは反対の＋２ｋＶ）を印加して印刷ヘッド３１から吐出するインク滴Ｎ及びミストＭに電圧を印加させてもよい。これにより、より大きな電位差を印加できるなど印刷ヘッド３１と電極板１０２の電位をそれぞれ適切に設定することで、ミストＭが異なる極性の電圧を有する電極板１０２に引き寄せられ易くなり、より効果的にミストＭを吸着することができる。
【０１５３】
また、本実施の形態では、電極板１０２を、筐体３を構成するシャーシプレート１７の下面側に取り付けた例を説明した。しかしながら、電極板１０２の取り付け箇所は、これに限定されるものではない。例えば、シャーシプレート１７の下面側にさらに構造物があった場合は、電極板１０２を、光ディスク２のレーベル面２ａと対向してミストＭが通過する空間となる構造物の下部に取り付けてもよい。
【０１５４】
さらに、本実施形態では、印刷ヘッド３１、トレイ本体１４及び電極板１０２との領域に形成される電界の強度は、２００ｋＶ／ｍ以上となるように、高電圧電源部１０３から電極板１０２に電圧が印加されることが好ましい。電界の強度が２００ｋＶ／ｍ未満となる場合には、ミストＭを十分に捕集することが難しくなる場合があるためである。
【０１５５】
ここで、電界強度とミストＭの捕集吸着効果との関係について、本発明者らが行った実験の結果について説明する。この実験では、図２１を用いて説明した光ディスク装置１Ａの構成において、電極板１０２を高電圧の電位およびトレイ本体１４を接地の電位としてとして、電極板１０２とトレイ本体１４との間が最も近接した場所でのギャップ（離間距離）を４ｍｍとし、電極板１０２に印加する電圧を変化させて、ミストＭの飛散状況を光ディスク２の情報記録面の汚れ具合により確認した。その結果、下記表１に示すような結果が得られた。
【０１５６】
【表１】
2009134847.tif 000003
【０１５７】
表１に示すように、２００ｋＶ／ｍ以上の電界強度でミスト捕集の効果が得られた。また、４００ｋＶ／ｍ以上の電界強度で、光ディスク２の情報記録面にほとんどミストＭが付着しない程度に、十分にミストを捕集できることが確認された。
【０１５８】
なお、表１では電界強度の定義として電極板１０２とトレイ本体１４との間が最も近接した場所でのギャップ（離間距離）を基準としているのに対して、トレイ本体１４にあるディスク載置面１３の凹部においては、ギャップ（離間距離）が４ｍｍからさらに大きく７〜９ｍｍとなっている。そのため実験においては、光ディスク２の近傍における場所の違いによっては、その場所の電界強度が表１の電界強度の約半分以下になる場所もあった。よって、電界が弱い場所での電界強度を基準にするならば、電界の強度は１００ｋＶ／ｍ以上であって、より好ましくは、２００ｋＶ／ｍ以上であれば十分なミスト捕集の効果を得ることができる。
【０１５９】
［第２の実施形態］
以上説明した本発明の第１の実施形態に係る光ディスク装置１においては、ミストＭの飛散によるディスクドライブ内の汚染を防止するために、飛散するミストＭを高電圧が印加された電極板１０２等に誘引し、ミストＭを吸着させる方法を用いている。
【０１６０】
この方法において、電極板１０２の配置に関しては、光ディスク５のレーベル面（上面）に対向する天板１０７に電極１０２を配置することが、基本的な配置として考えられる。
【０１６１】
一方、前述の図１９Ａ〜２０Ｂで示したように、例えば、光ディスク５の外周印刷時のミストＭの流れに注目すると、図２４及び図２５に示すように、印刷ヘッド３１から吐出されたミストＭは、下記の（１）〜（３）の３つのステップでドライブ内を拡散する。なお、図２５では、ミストＭの流れと電極１０２の配置を模式化して図示するため、天板１０７やトレイ本体１４等の光ディスク２の周囲の構造物の記載は省略してある。
（１）ミストＭが、光ディスク２のレーベル面２ａ上で回転による空気の流れに乗って、光ディスク２の回転方向の下流側に向かって飛散する（図１９Ａ、１９ＢのＭａ）。
（２）ミストＭが、光ディスク２の辺部とその周囲の筐体３の構造で発生する空気の流れに乗って、筐体３内全体に拡散する（図１９Ａ、１９ＢのＭｂ）。
（３）光ディスク２のレーベル面２ａ上だけでなく、光ディスク２のレーベル面２ａと反対側の情報記録面の下を通過する空気の流れに乗って、筐体３内全体に拡散する（図１９Ａ、１９ＢのＭｃ）。
【０１６２】
ところで、例えば、天板１０７側に高電圧が印加される電極板１０２を配置して、電極板１０２にミストＭを吸着させる構造の場合には、ミストＭの流れが上記（１）の状態において、ミストＭの吸着効果が高い。
【０１６３】
しかしながら、上記電極板１０２にミストＭが１００％吸着するとは限らず、微量であるとしても、図２４に示すように、上記電極板１０２に吸着されなかったミストＭは、光ディスク２の辺部に流れ、辺部から光ディスク５の下面（情報記録面）側に回り込む。さらに、このミストＭは、光ディスク５とトレイ本体１４との間に拡散し、情報記録面の下を通過する空気の流れに乗って、光ディスク５とトレイ本体１４との間を浮遊することとなる。
【０１６４】
一方、図２６に示すように、光ディスク２の下面（情報記録面）側には、トレイ本体１４の切欠き部１６（図４を参照）の位置に、光ディスク２の情報記録面と対向するように光学ピックアップ２３が配置されている。従って、上記のように、ミストＭの一部は、光ディスク５とトレイ本体１４との間に拡散し、情報記録面の下を通過する空気の流れに乗って、光ディスク５とトレイ本体１４との間を浮遊し、光学ピックアップ２３の近傍を浮遊することになる。そして、その一部のミストＭは、光学ピックアップ２３の対物レンズ２３２等の光学部品に付着することがあり、その結果、光学系の透過率を低下させるなど、光ディスクドライブの記録・再生性能を悪化させるおそれがある、という問題がある。
【０１６５】
ここで、図２７に示すように、光学ピックアップ２３は、ピックアップベース２３０と、可動体２３１と、対物レンズ２３２と、固定基部２３３と、支持板２３４と、駆動コイル２３５と、ヨーク２３６と、マグネット２３７と、ピックアップカバー２３８と、を有する。ピックアップベース２３１は、図示しないピックアップ送り機構に連結される。可動体２３１は、対物レンズ２３２を載置するもので、この可動体２３１は、ピックアップベース２３０に固着される固定基部２３３に支持板２３４を介して矢印ａ方向（トラッキング方向）及び矢印ｂ方向（フォーカシング方向）に揺動自在に連結支持されている。そして、可動体２３１には、駆動コイル（トラッキングコイル及びフォーカシングコイル）２３５が固着される。一方、ヨーク２３６は、駆動コイル２３５に対向してピックアップベース２３０側に固定される。このヨーク２３６には、マグネット２３７が取り付けられており、駆動コイル２３５にサーボ信号発生回路（図示せず）からサーボ信号が供給されると、その磁力変化によって、可動体２３１が矢印ａ方向及びｂ方向に揺動し、対物レンズ２３２のトラッキング動作及びフォーカシング動作が行われる。また、ピックアップカバー２３８は、光学ピックアップ２３の駆動部（アクチュエータ）を保護する。このピックアップカバー２３８により駆動部全体を覆うことにより、ディスクドライブ内の塵や埃等の侵入を防いでいる。また、ピックアップカバー２３８には、対物レンズ２３２から出射されるレーザ光が通る通孔２３９が形成されている。
【０１６６】
従来は、ピックアップカバー２３８は、多くの場合、塵や埃が光学系に入り込まないように機構的に配置するのみであった。しかし、本実施形態に係るディスク装置の一例としての光ディスク装置においては、ピックアップカバー２３８の電位を設定することで、光ディスク５とトレイ本体１４との間を浮遊するミストＭにより光学ピックアップが汚染されることを防止している。
【０１６７】
印刷ヘッド３１から吐出されたインク滴の主滴ＮとミストＭは、高電圧が印加された電極板１０２を有するミスト誘引部１０１の電位に引かれるような帯電状態となっている。そのため、主滴ＮとミストＭには、印刷ヘッド３１とミスト誘引部１０１との間で生じる空間的な電場の傾斜を下る方向または上る方向に対して、電界による引力が作用することとなる。従って、本実施形態では、この電界による引力を利用して、光ディスク５とトレイ本体１４との間を浮遊するミストＭに対し、光学ピックアップ２３を避ける（あるいは、少なくとも光学ピックアップ２３の内部には入り込まない）ような力を与えている。これにより、光ディスク５とトレイ本体１４との間を浮遊するミストＭが、光学ピックアップ２３の光学系の汚染を抑制することができる。
【０１６８】
以下、図２８〜図３０を参照しながら、本実施形態に係るディスク装置として、光ディスク装置２Ａ、２Ｂ、２Ｃを例に挙げて、具体的な構成について説明する。なお、図２８は、本実施形態に係るディスク装置の第１の例としての光ディスク装置２Ａの構成を示す説明図である。図２９は、本実施形態に係るディスク装置の第２の例としての光ディスク装置２Ｂの構成を示す説明図である。図３０は、本実施形態に係るディスク装置の第３の例としての光ディスク装置２Ｃの構成を示す説明図である。
【０１６９】
＜第１の例＞
まず、図２８に示すように、光ディスク装置２Ａは、印刷ヘッド３１及びトレイ本体１４を接地電位（０Ｖ）とし、天板１０７の下面（光ディスク２と対向する面）側に取り付けられた電極板１０２に高電圧電源部１０３Ｄにより高電圧を印加することにより、ミスト誘引部１０１Ｄを高電位（例えば、−２ｋＶ）とし、さらに、光学ピックアップ２３のピックアップカバー２３８を接地電位（０Ｖ）とした例である。
【０１７０】
この場合、ミストＭの帯電状態によれば、ピックアップカバー２３８の電位が、印刷ヘッド３１の電位と同じ電位（０Ｖ）であるため、ミストＭに対して光学ピックアップ２３へ向かう方向への引力は生じない。その結果、光ディスク５とトレイ本体１４との間を浮遊するミストＭは、光ディスク２のレーベル面２ａと反対側の情報記録面の下を通過する空気の流れに乗ったまま、光学ピックアップ２３へは接近せずに、筐体３内を拡散していく。従って、第１の例による光ディスク装置２Ａによれば、電極板１０２に吸着されずに、光ディスク５とトレイ本体１４との間を浮遊するミストＭによって、光学ピックアップ２３の光学系が汚染されることを抑制することができる。
【０１７１】
なお、この第１の例の光ディスク装置２Ａでは、光学ピックアップ２３を覆っているピックアップカバー２３８を接地電位（０Ｖ）としているため、放電が起こって光学ピックアップ２３の光学系における半導体レーザ等が破壊される等の事態が生じる可能性も低い。
【０１７２】
＜第２の例＞
次に、図２９に示すように、光ディスク装置２Ｂは、印刷ヘッド３１及びトレイ本体１４を接地電位（０Ｖ）とし、天板１０７の下面（光ディスク２と対向する面）側に取り付けられた電極板１０２に高電圧電源部１０３Ｄにより高電圧を印加することにより、ミスト誘引部１０１Ｄを高電位（例えば、−２ｋＶ）とする。さらに、光学ピックアップ２３のピックアップカバー２３８をミスト誘引部１０１Ｄの電極板１０２と同じ極性の電位（例えば、−２ｋＶ）とした例である。すなわち、この第２の例におけるピックアップカバー２３８には、高電圧電源部１０３Ｅにより高電圧が印加され、これらピックアップカバー２３８と高電圧電源部１０３Ｅ等により、ミストＭを誘引するミスト誘引部１０１Ｅを構成している。
【０１７３】
この場合、ミストＭの帯電状態によれば、ピックアップカバー２３８の電位が、ミスト誘引部１０１Ｄの電極板１０２の電位と同じ電位（−２ｋＶ）であるため、ミストＭに対して光学ピックアップ２３へ向かう方向への引力が強く生じる。その結果、光ディスク５とトレイ本体１４との間を浮遊するミストＭは、印刷ヘッド３１とミスト誘引部１０１Ｅと間に生じる電界により引かれ、光学ピックアップ２３へ接近し、最終的にピックアップカバー２３８に吸着される。このように、ミストＭは、ピックアップカバー２３８に吸着されるため、光学ピックアップ２３の内部の光学系には侵入しにくい。また、たとえ、ミストＭが光学ピックアップ２３の内部に侵入してしまったとしても、ピックアップカバー２３８側に引っ張られるため、対物レンズ２３２の汚染を抑制することができる。従って、第２の例による光ディスク装置２Ｂによれば、電極板１０２に吸着されずに、光ディスク５とトレイ本体１４との間を浮遊するミストＭによって、光学ピックアップ２３の光学系が汚染されることを抑制することができる。
【０１７４】
なお、ミスト誘引部１０１Ｄの電極板１０２の電位と、ピックアップカバー２３８の電位とは、必ずしも同じ電位（例えば、−２ｋＶ）でなくても、同じ極性の電位であれば、いずれの電位が高くとも低くとも、ミストＭをピックアップカバー２３８に吸着させる効果を得ることができる。また、この第２の例において、例えば、ピックアップカバー２３８の側面部（またはその一部）のみに高電圧を印加し、ピックアップカバー２３８の上面部（対物レンズ２３２の周辺）は接地することにより、光学系の汚染防止効果をさらに高めることもできる。
【０１７５】
＜第３の例＞
次に、図３０に示すように、光ディスク装置２Ｃは、印刷ヘッド３１及びトレイ本体１４を接地電位（０Ｖ）とし、天板１０７の下面（光ディスク２と対向する面）側に取り付けられた電極板１０２に高電圧電源部１０３Ｄにより高電圧を印加することにより、ミスト誘引部１０１Ｄを高電位（例えば、−２ｋＶ）とする。さらに、光学ピックアップ２３のピックアップカバー２３８をミスト誘引部１０１Ｄの電極板１０２と逆極性の電位（例えば、＋２ｋＶ）とした例である。すなわち、この第３の例におけるピックアップカバー２３８には、高電圧電源部１０３Ｆにより高電圧（例えば、＋２ｋＶ）が印加され、これらピックアップカバー２３８と高電圧電源部１０３Ｆ等により、ミストＭを誘引するミスト誘引部１０１Ｆを構成している。
【０１７６】
この場合、ミストＭの帯電状態によれば、ピックアップカバー２３８の電位が、ミスト誘引部１０１Ｄの電極板１０２の電位と逆極性であるため、ミストＭに対して光学ピックアップ２３から離反する方向への斥力が生じる。その結果、光ディスク５とトレイ本体１４との間を浮遊するミストＭは、光ディスク２のレーベル面２ａと反対側の情報記録面の下を通過する空気の流れに乗ったまま、さらに、印刷ヘッド３１とミスト誘引部１０１Ｅと間に生じる電界の斥力も作用し、光学ピックアップ２３へは接近せずに、光学ピックアップ２３を避けるように、筐体３内を拡散していく。従って、第３の例による光ディスク装置２Ｃによれば、電極板１０２に吸着されずに、光ディスク５とトレイ本体１４との間を浮遊するミストＭによって、光学ピックアップ２３の光学系が汚染されることを抑制することができる。
【０１７７】
なお、ミスト誘引部１０１Ｄの電極板１０２の電位と、ピックアップカバー２３８の電位とは、必ずしも同じ絶対値の電位（例えば、−２ｋＶと＋２ｋＶ）でなくても、逆極性の電位であれば、いずれの電位の絶対値が大きくとも小さくとも、ミストＭを光学ピックアップ２３から離反させる効果を得ることができる。
【０１７８】
［第３の実施形態］
以上説明した本発明の第１の実施形態に係る光ディスク装置１においては、インク滴のミストの飛散によるディスクドライブ内の汚染を防止するために、飛散するミストを高電圧が印加された電極等に誘引し、ミストを捕集する方法を用いている。一方、以下に説明する本発明の第３の実施形態に係るディスク装置の一例としての光ディスク装置３Ａにおいては、インクが低電位側から高電位側に引っ張られる性質を利用してインクの挙動を制御する点においては共通している。しかし、本実施形態に係る光ディスク装置３Ａは、上述した第１の実施形態のように、ミストを捕集するのではなく、インク吐出部から吐出されたインクを、光ディスク２のレーベル面に向けて積極的に引っ張ることにより、ミストの飛散を防止し、これにより、ディスクドライブ内の汚染を防止するものである。
【０１７９】
以下、図３１を参照しながら、本実施形態に係る光ディスク装置３Ａの構成及び作用効果について説明する。なお、図３１は、本実施形態に係る光ディスク装置３Ａの構成を示す側面図である。
【０１８０】
＜第３の実施形態に係る光ディスク装置の構成＞
図３１に示すように、本実施形態に係る光ディスク装置３Ａは、本実施形態に係るディスク状記録媒体の一例としての光ディスク２が挿入され、挿入された光ディスク２のレーベル面に印刷を行うことが可能な装置である。具体的には、図３１に示すように、光ディスク装置３Ａは、本実施形態に係るディスク載置部の一例としてのトレイ３１０と、本実施形態に係る印刷ヘッドの一例としてのインクジェットヘッド３２０と、スピンドルモータ３３０と、本実施形態に係るミスト誘引部の一例としてのインク吐出補助用電極３４０と、電源３５０と、を備える。
【０１８１】
トレイ３１０は、後述するスピンドル軸３３５により回転可能に支持された光ディスク２が載置される載置面３１０ａを有する。
【０１８２】
インクジェットヘッド３２０は、光ディスク２の記録面とは反対側のレーベル面（図３１では光ディスク２の上側の面）側に設けられており、インク吐出部３２１から、トレイ３１０に載置された光ディスク２のレーベル面に向けてインク３２１ａを吐出する。また、インクジェットヘッド３２０は、例えば、光ディスク２のラジアル方向に平行な方向に移動可能となっており、回転する光ディスク２に対して、その外周側から内周側に移動しながらインク３２１ａを吐出することにより、レーベル面に印刷を行う。
【０１８３】
スピンドルモータ３３０の一端には、スピンドル軸３３５が連結されている。このスピンドル軸３３５は、光ディスク２の略中心部を貫通するように設けられ、光ディスク２を回転可能に支持する。
【０１８４】
インク吐出補助用電極３４０は、電源３５０から所定の電圧が印加されることにより、インクジェットヘッド３２０のインク吐出部３２１から吐出されたインク３２１ａを光ディスク２のレーベル面の方向へ誘引して、インク３２１ａが光ディスク２のレーベル面に確実に付着する機能を有する。このインク吐出補助用電極３４０は、例えば、光ディスク２を介して、インクジェットヘッド３２０のインク吐出部３２１と対向する位置に設けられている金属板である。すなわち、インク吐出補助用電極３４０は、光ディスク２の記録面とトレイ３１０との間の領域であって、インク吐出部３２１と対向するような位置に配置される。
【０１８５】
電源３５０は、インク吐出補助用電極に高電圧（例えば、数ｋＶの電圧）を印加する。本実施形態においては、電源３５０は、インク吐出補助用電極３４０のみに高電圧を印加してインク吐出補助用電極３４０のみが高電位となり、インク吐出部３２１が接地電位となるように、インク吐出補助用電極３４０やインク吐出部３２１と接続されている。
【０１８６】
なお、本実施形態においては、ミスト誘引部としてインク吐出補助用電極３４０を設けているが、光ディスク２に直接電圧を印加し、インク吐出部３２１から吐出されたインク３２１ａを光ディスク２のレーベル面に向けて誘引することも可能である。また、実際には、光ディスク２とトレイ３１０との間の空間は非常に狭いので、インク吐出補助用電極３４０を設けるスペースを確保することが困難な場合もある。このような場合には、トレイ３１０に高電圧を印加することにより、トレイ３１０を高電位側として、インク吐出部３２１から吐出されたインク３２１ａを、光ディスク２のレーベル面に向けて誘引することもできる。
【０１８７】
＜第３の実施形態に係る光ディスク装置による作用効果＞
以上のような構成を有する光ディスク装置３Ａにおいては、インク吐出補助用電極３４０が高電位となっているので、インク３２１ａは、低電位側のインク吐出部３２１から高電位側のインク吐出補助用電極３４０側に誘引され、そのインク３２１ａの吐出方向上に存在する光ディスク２のレーベル面に付着する。
【０１８８】
このようにして、本実施形態に係る光ディスク装置３Ａによれば、インク吐出部３２１から吐出されたインク３２１ａを、光ディスク２のレーベル面に向けて積極的に引っ張ることにより、インクミストの飛散や浮遊を防止し、これにより、ディスクドライブ内の汚染を防止することができる。
【０１８９】
ここで、図３２及び図３３を参照しながら、本実施形態に係るインク吐出補助用電極３４０の機能について詳細に説明する。なお、図３２は、本実施形態に係るインク吐出部３２１から吐出されたインク滴３２１ｂの挙動を示す説明図であって、インク吐出補助用電極３４０を設けない場合の例を示し、図３３は、本実施形態に係るインク吐出部３２１から吐出されたインク滴３２１ｂの挙動を示す説明図であって、インク吐出補助用電極３４０を設けた場合の例を示している。
【０１９０】
まず、インク吐出補助用電極３４０を設けない場合には、図３２に示すように、インク吐出部３２１から吐出されたインク滴３２１ｂには、インクジェットヘッド３２０から吐出される際に付与される吐出力Ｊ１が鉛直方向下向きに加えられるとともに、光ディスク２の回転により発生した気流による力Ｆ１が、水平方向で光ディスク２の回転方向側の向きに加えられる。従って、インク滴３２１ｂには、吐出力Ｊ１と力Ｆ１とのベクトル和である力Ｄ１が作用し、この力Ｄ１の方向に引っ張られる。この際、インクジェットヘッド３２０によりインク滴３２１ｂに付与される吐出力Ｊ１は弱いため、光ディスク２の回転により発生した気流により加えられた水平方向の力Ｆ１の影響が大きく、光ディスク２のレーベル面の方向からずれた方向に引っ張られやすい。このため、インク吐出部３２１から吐出されたインクミストがディスクドライブ内に飛散しやすくなる。
【０１９１】
一方、インク吐出補助用電極３４０を設けた場合には、図３３に示すように、インク滴３２１ｂに加えられる鉛直方向の下向きの力は、インクジェットヘッド３２０により加えられる吐出力だけでなく、高電圧が印加されたインク吐出補助用電極３４０と接地電位であるインク吐出部３２１との間の領域に形成される電界による吸引力も加えられる。すなわち、インク滴３２１ｂには、従って、インクジェットヘッド３２０から付与される吐出力と電界による吸引力の合計の力Ｊ２が水平方向下向きに加えられるとともに、光ディスク２の回転により発生した気流による力Ｆ１が、水平方向で光ディスク２の回転方向側の向きに加えられる。従って、インク滴３２１ｂには、力Ｊ２と力Ｆ１とのベクトル和である力Ｄ２が作用し、この力Ｄ２の方向に引っ張られる。この際、前述したように、インク滴３２１ｂに加えられる鉛直方向下向きの力は、インクジェットヘッド３２０から付与される吐出力と電界による吸引力の合計の力であるので、光ディスク２の回転により発生した気流により引っ張られる力Ｆ１の影響が小さくなり、光ディスク２のレーベル面の方向とより近い方向に引っ張られやすくなる。このため、インク吐出部３２１から吐出されたインクミストが飛散せず、光ディスク２のレーベル面上に確実に付着しやすくなる。本実施形態に係る光ディスク装置３Ａでは、このようにして、インクミストの飛散を防止して、ディスクドライブ内の汚染を防止することができる。
【０１９２】
以上説明したように、本発明によれば、電極板に所定の電圧を印加することにより電界を発生させて静電気力によってミストを誘引し吸着するミスト誘引部を設けた。そのため、印刷時に発生するミストを吸着または確実にレーベル面に付着させることができ、光学ピックアップのピックアップレンズやその他の機器等にミストが付着して汚染するのを防止することができる。また、ミスト誘引部を構成する電極板の光ディスクと対向する面に、非透過部とミスト吸着部を設けたため、電極板にミストの水分が付着して漏電、放電及び感電することを防止することができる。
【０１９３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１９４】
例えば、上述した第１〜第３の実施形態においては、ディスク装置として光ディスク装置の場合を例に挙げて説明したが、本発明におけるディスク装置としては、光ディスク装置に限られず、磁気ディスク装置や光磁気ディスク装置等であってもよい。また、上述したような印刷装置を用いることができるディスク記録又はディスク再生装置、或いは撮像装置、パーソナルコンピュータ、電子辞書、カーナビゲーションその他各種の電子機器に適用できるものである。
【０１９５】
また、例えば、上述した実施形態においては、印刷ヘッドの一例としてのインクジェットヘッドを接地電位とする場合を例に挙げて説明したが、本発明における印刷ヘッドは、接地電位でなくても、所定の電位で定められていればよい。なぜならば、本発明は、印刷ヘッド（例えば、インクジェットヘッド）とミスト誘引部（例えば、電極）との電位差及び配置によって定まる、インクの荷電状態及びドライブ内部の電界の状態が作用するものであるので、印刷ヘッドとミスト誘引部との間に所定の電位差が定められていれば、その作用を生じるためである。
【図面の簡単な説明】
【０１９６】
【図１】本発明の第１の実施形態に係るディスク装置の外観構成を示す斜視図である。
【図２】同実施形態に係る光ディスク装置の内部構成を示す斜視図である。
【図３】同実施形態に係る光ディスク装置の内部構成を示す平面図である。
【図４】同実施形態に係る光ディスク装置から印刷装置を取り除いた状態を示す斜視図である。
【図５】同実施形態に係る光ディスク装置に設けられる印刷装置の構成を示す斜視図である。
【図６】同実施形態に係る印刷装置の印刷ヘッドとディスクドライブ装置の光学ピックアップと光ディスクとの位置関係を説明する斜視図である。
【図７】同実施形態に係る印刷装置の印刷ヘッドとディスクドライブ装置の光学ピックアップと光ディスクとの位置関係を説明する側面図である。
【図８】図７に示す印刷ヘッド組立体をＷ−Ｗ線で切断した断面を示す説明図である。
【図９】同実施形態に係る印刷装置の印刷ヘッド組立体をインク吐出部側から見た斜視図である。
【図１０】同実施形態に係るディスク装置の制御部の概略構成を示すブロック図である。
【図１１】同実施形態に係るディスク状記録媒体が回転駆動する際に発生する空気の流れを示す説明図である。
【図１２Ａ】同実施形態に係るディスク装置の印刷ヘッドからインク滴が吐出した状態を示す説明図であり、ディスク状記録媒体が回転していない状態を示している。
【図１２Ｂ】同実施形態に係るディスク装置の印刷ヘッドからインク滴が吐出した状態を示す説明図であり、ディスク状記録媒体が回転駆動した状態を示している。
【図１３】高電圧の印加によるインクの挙動の一例を示す説明図である。
【図１４Ａ】インクミストの飛散によるドライブ内の汚染防止効果を確認するための実験装置の構成を示す側面図である。
【図１４Ｂ】インクミストの飛散によるドライブ内の汚染防止効果を確認するための実験装置の構成を示す平面図である。
【図１５】インクミストの飛散によるドライブ内の汚染防止効果を確認するための実験結果を示す写真である。
【図１６】本発明の第１の実施形態に係るディスク装置の構成を示す説明図である。
【図１７】同実施形態に係るミスト誘引部を構成する電極板を示す断面図である。
【図１８】同実施形態に係るディスク装置におけるミスト誘引部によるミストの吸着動作を示す説明図である。
【図１９Ａ】同実施形態に係る光ディスク装置において、光ディスクの外周側を印刷する際のインクミストの流れの様子を示す斜視図である。
【図１９Ｂ】同実施形態に係る光ディスク装置において、光ディスクの外周側を印刷する際のインクミストの流れの様子を示す平面図である。
【図２０Ａ】同実施形態に係る光ディスク装置において、光ディスクの内周側を印刷する際のインクミストの流れの様子を示す斜視図である。
【図２０Ｂ】同実施形態に係る光ディスク装置において、光ディスクの内周側を印刷する際のインクミストの流れの様子を示す平面図である。
【図２１】同実施形態に係るディスク装置の第１の例としての光ディスク装置の構成を示す説明図である。
【図２２】同実施形態に係るディスク装置の第２の例としての光ディスク装置の構成を示す説明図である。
【図２３】同実施形態に係るディスク装置の第３の例としての光ディスク装置の構成を示す説明図である。
【図２４】同実施形態に係るディスク装置内におけるミストの流れの状態を示す説明図である。
【図２５】同実施形態に係るディスク装置内におけるミストの流れの状態を示す説明図である。
【図２６】同実施形態に係るディスク装置内におけるミストの流れの状態を示す説明図である。
【図２７】一般的な光学ピックアップの構成の一例を示す斜視図である。
【図２８】本発明の第２の実施形態に係るディスク装置の第１の例としての光ディスク装置の構成を示す説明図である。
【図２９】同実施形態に係るディスク装置の第２の例としての光ディスク装置の構成を示す説明図である。
【図３０】同実施形態に係るディスク装置の第３の例としての光ディスク装置の構成を示す説明図である。
【図３１】本発明の第３の実施形態に係るディスク装置の構成を示す側面図である。
【図３２】同実施形態に係るインク吐出部から吐出されたインク滴の挙動を示す説明図であって、ミスト誘引部を設けない場合の例を示す。
【図３３】同実施形態に係るインク吐出部から吐出されたインク滴の挙動を示す説明図であって、ミスト誘引部を設けた場合の例を示す。
【符号の説明】
【０１９７】
２    光ディスク
１、１Ａ、１Ｂ、１Ｃ、２Ａ、２Ｂ、２Ｃ、３Ａ    光ディスク装置
１２    ディスクトレイ
２１    スピンドルモータ
２３    光学ピックアップ
３１    印刷ヘッド
３７    インク吐出部
１０１    ミスト誘引部
１０２    電極板
１０３    高電圧電源部
２３８    ピックアップカバー
３１０    トレイ
３２０    印刷ヘッド
３２１    インク吐出部
３３０    スピンドルモータ
３４０    インク吐出補助用電極
３５０    電源
Ｍ    ミスト
【図１】
2009134847.tif 000004
【図２】
2009134847.tif 000005
【図３】
2009134847.tif 000006
【図４】
2009134847.tif 000007
【図５】
2009134847.tif 000008
【図６】
2009134847.tif 000009
【図７】
2009134847.tif 000010
【図８】
2009134847.tif 000011
【図９】
2009134847.tif 000012
【図１０】
2009134847.tif 000013
【図１１】
2009134847.tif 000014
【図１２Ａ】
2009134847.tif 000015
【図１２Ｂ】
2009134847.tif 000016
【図１３】
2009134847.tif 000017
【図１４Ａ】
2009134847.tif 000018
【図１４Ｂ】
2009134847.tif 000019
【図１６】
2009134847.tif 000020
【図１７】
2009134847.tif 000021
【図１８】
2009134847.tif 000022
【図１９Ａ】
2009134847.tif 000023
【図１９Ｂ】
2009134847.tif 000024
【図２０Ａ】
2009134847.tif 000025
【図２０Ｂ】
2009134847.tif 000026
【図２１】
2009134847.tif 000027
【図２２】
2009134847.tif 000028
【図２３】
2009134847.tif 000029
【図２４】
2009134847.tif 000030
【図２５】
2009134847.tif 000031
【図２６】
2009134847.tif 000032
【図２７】
2009134847.tif 000033
【図２８】
2009134847.tif 000034
【図２９】
2009134847.tif 000035
【図３０】
2009134847.tif 000036
【図３１】
2009134847.tif 000037
【図３２】
2009134847.tif 000038
【図３３】
2009134847.tif 000039
【図１５】
2009134847.tif 000040